(57)【特許請求の範囲】
【請求項１】
フロント部と、リア部と、トウ部と、ヒール部と、クラウン部を持つトップ部と、ボトム部とを有する中空ボディ部であって、前記クラウン部は開口部を有する、前記中空ボディ部と、
前記クラウン部に結合して前記開口部を覆うように構成されたカバー部であって、第１の材料を含む第１のレイヤー部と、第２の材料を含む第２のレイヤー部と、前記第１のレイヤー部と前記第２のレイヤー部の間に配置され且つ第３の材料を含む第３のレイヤー部とを含む複数のレイヤー部を含む、前記カバー部とを備えたゴルフクラブヘッドであって、
前記第１の材料及び前記第２の材料は、前記第３の材料より剛性が高く、
前記第３の材料は、弾性ポリマー材料を含むことを特徴とするゴルフクラブヘッド。
【請求項２】
請求項１に記載のゴルフクラブヘッドにおいて、
前記第１の材料及び前記第２の材料は、同じ材料を含むことを特徴とするゴルフクラブヘッド。
【請求項３】
請求項１に記載のゴルフクラブヘッドにおいて、
前記第１の材料及び前記第２の材料は、グラファイト複合材料を含むことを特徴とするゴルフクラブヘッド。
【請求項４】
請求項１に記載のゴルフクラブヘッドにおいて、
複数のウェイト部と、前記ボトム部にある複数のポートとを更に備え、
前記複数のポートの各ポートは、前記複数のウェイト部の各ウェイト部を受けるように構成されたことを特徴とするゴルフクラブヘッド。
【請求項５】
請求項１に記載のゴルフクラブヘッドにおいて、
前記中空ボディ部は、内部キャビティと、前記内部キャビティを少なくとも部分的に充填する弾性ポリマー挿入物とを含み、
前記弾性ポリマー挿入物は、ハニカム形状の複数の六角形凹部を含むことを特徴とするゴルフクラブヘッド。
【請求項６】
内部キャビティを含む中空ボディ部であって、フロント部と、リア部と、トウ部と、ヒール部と、クラウン部を持つトップ部と、ボトム部とを有し、前記クラウン部は前記内部キャビティに通じる少なくとも１つの開口部を有する、前記中空ボディ部と、
前記クラウン部に結合して前記少なくとも１つの開口部を覆うように構成された少なくとも１つのカバー部であって、第１の材料を含む第１のレイヤー部と、第２の材料を含む第２のレイヤー部と、前記第１の材料及び前記第２の材料とは異なる第３の材料を含む第３のレイヤー部とを含む、前記少なくとも１つのカバー部と、
前記中空ボディ部の前記内部キャビティを少なくとも部分的に充填する弾性ポリマー材料とを備えたゴルフクラブヘッドであって、
前記第３の材料は、弾性ポリマー材料を含むことを特徴とするゴルフクラブヘッド。
【請求項７】
請求項６に記載のゴルフクラブヘッドにおいて、
前記ボトム部の内側面から前記中空ボディ部内に延びる少なくとも１つの内側支持部を更に備えたことを特徴とするゴルフクラブヘッド。
【請求項８】
請求項６に記載のゴルフクラブヘッドにおいて、
複数のウェイト部と、前記ボトム部にある複数のポートとを更に備え、
前記複数のポートの各ポートは、前記複数のウェイト部の各ウェイト部を受けるように構成されたことを特徴とするゴルフクラブヘッド。
【請求項９】
請求項６に記載のゴルフクラブヘッドにおいて、
前記クラウン部は、前記少なくとも１つの開口部に補強部を含むことを特徴とするゴルフクラブヘッド。
【請求項１０】
請求項６に記載のゴルフクラブヘッドにおいて、
前記第１の材料及び前記第２の材料は、グラファイト複合材料を含むことを特徴とするゴルフクラブヘッド。
【請求項１１】
請求項６に記載のゴルフクラブヘッドにおいて、
前記弾性ポリマー材料は、前記内部キャビティを少なくとも部分的に充填する弾性ポリマー挿入物を含み、
前記弾性ポリマー挿入物は、ハニカム形状の複数の六角形凹部を含むことを特徴とするゴルフクラブヘッド。
【請求項１２】
フロント部と、リア部と、トウ部と、ヒール部と、クラウン部を持つトップ部と、ボトム部とを有する中空ボディ部を備えたゴルフクラブヘッドであって、
前記クラウン部の少なくとも一部は、第１の材料を含む第１のレイヤー部と、第２の材料を含む第２のレイヤー部と、前記第１のレイヤー部と前記第２のレイヤー部の間に配置され且つ第３の材料を含む第３のレイヤー部とを含み、
前記第１の材料及び前記第２の材料は、前記第３の材料より剛性が高く、
前記第３の材料は、弾性ポリマー材料を含むことを特徴とするゴルフクラブヘッド。
【請求項１３】
請求項１２に記載のゴルフクラブヘッドにおいて、
前記クラウン部の前記少なくとも一部は、少なくとも１つの凹部と、前記クラウン部に結合して前記少なくとも１つの凹部を覆うように構成された少なくとも１つのカバー部とを含み、
前記少なくとも１つのカバー部は、前記第１のレイヤー部と、前記第２のレイヤー部と、前記第３のレイヤー部とを含む複数のレイヤー部を含むことを特徴とするゴルフクラブヘッド。
【請求項１４】
請求項１２に記載のゴルフクラブヘッドにおいて、
前記クラウン部の前記少なくとも一部は、複数の開口部と、複数のカバー部とを含み、
各カバー部は、前記クラウン部に結合して前記複数の開口部の各開口部を覆うように構成され、
各カバー部は、前記第１のレイヤー部と、前記第２のレイヤー部と、前記第３のレイヤー部とを含む複数のレイヤー部を含むことを特徴とするゴルフクラブヘッド。
【請求項１５】
請求項１２に記載のゴルフクラブヘッドにおいて、
複数のウェイト部と、前記ボトム部にある複数のポートとを更に備え、
前記複数のポートの各ポートは、前記複数のウェイト部の各ウェイト部を受けるように構成されたことを特徴とするゴルフクラブヘッド。
【請求項１６】
請求項１２に記載のゴルフクラブヘッドにおいて、
前記中空ボディ部は、内部キャビティと、前記内部キャビティを少なくとも部分的に充填する弾性ポリマー材料とを含むことを特徴とするゴルフクラブヘッド。
【請求項１７】
請求項１２に記載のゴルフクラブヘッドにおいて、
前記トップ部にあるホーゼルと、前記ホーゼルから前記中空ボディ部内に延びるスリーブとを含むホーゼル組立体を更に備え、前記スリーブは外側壁部を有し、
前記スリーブの前記中空ボディ部内にある部分の前記外側壁部は、前記中空ボディ部の中空内部に露出していることを特徴とするゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、2017年5月30日に出願された米国仮出願第62/512,275号の優先権を主張する。本出願は、2017年4月20日に出願された米国非仮出願第15/492,711号の優先権も主張する。本出願は、2017年2月23日に出願された米国非仮出願第15/440,968号の優先権も主張する。本出願は、2017年8月2日に出願された米国非仮出願第15/667,343号の優先権も主張する。上記出願の開示は参照により本明細書に組み込まれる。
【０００３】
［技術分野］
本開示は、一般にスポーツ用品に関し、より具体的には、ゴルフクラブヘッド及びゴルフクラブヘッド製造方法に関する。
【背景技術】
【０００４】
ゴルフでは、種々の要因が、ゴルフボールの進む距離や方向に影響を与え得る。具体的には、ゴルフクラブヘッドの重心（ＣＧ）及び／又は慣性モーメント（ＭＯＩ）が、打ち出し角、スピンレート、及びインパクト時のゴルフボールの方向に影響を与え得る。このような要因が、ゴルフスイングのタイプによって大きく変化する。
【図面の簡単な説明】
【０００５】
【図１】図１は、本明細書に記載の装置、方法、及び製造物の一実施形態に関する例示的なゴルフクラブヘッドの上面斜視図である。
【０００６】
【図２】図２は、図１に例示したゴルフクラブヘッドの底面斜視図である。
【０００７】
【図３】図３は、図１に例示したゴルフクラブヘッドの平面図である。
【０００８】
【図４】図４は、図１に例示したゴルフクラブヘッドの底面図である。
【０００９】
【図５】図５は、図１に例示したゴルフクラブヘッドの正面図である。
【００１０】
【図６】図６は、図１に例示したゴルフクラブヘッドの背面図である。
【００１１】
【図７】図７は、図１に例示したゴルフクラブヘッドのトウ側から見た図である。
【００１２】
【図８】図８は、図１に例示したゴルフクラブヘッドのヒール側から見た図である。
【００１３】
【図９】図９は、図１に例示したゴルフクラブヘッドの例示的なボディ部の底面図である。
【００１４】
【図１０】図１０は、図１に例示したゴルフクラブヘッドの例示的なボディ部の断面図である。
【００１５】
【図１１】図１１は、図１に例示したゴルフクラブヘッドの２つのウェイトポートを示す図である。
【００１６】
【図１２】図１２は、図１に例示したゴルフクラブヘッドの例示的なウェイト部の平面図である。
【００１７】
【図１３】図１３は、図１０に例示したウェイト部の側面図である。
【００１８】
【図１４】図１４は、図１に例示したゴルフクラブヘッドの例示的な打ち出し軌道プロファイルを示す図である。
【００１９】
【図１５】図１５は、例示的なウェイト部の第１のウェイト配置を示す図である。
【００２０】
【図１６】図１６は、例示的なウェイト部の第２のウェイト配置を示す図である。
【００２１】
【図１７】図１７は、例示的なウェイト部の第３のウェイト配置を示す図である。
【００２２】
【図１８】図１８は、例示的なウェイト部の第４のウェイト配置を示す図である。
【００２３】
【図１９】図１９は、図１８に例示したゴルフクラブヘッドの例示的な打ち出し軌道プロファイルを示す図である。
【００２４】
【図２０】図２０は、本明細書で例示したゴルフクラブヘッドを製造する１つの方法を示す図である。
【００２５】
【図２１】図２１は、別の例示的なゴルフクラブヘッドの底面図である。
【００２６】
【図２２】図２２は、更に別の例示的なゴルフクラブヘッドの底面図である。
【００２７】
【図２３】図２３は、本明細書に記載の装置、方法、及び製造物の一実施形態に関する例示的なゴルフクラブヘッドの上面斜視図である。
【００２８】
【図２４】図２４は、図２３に例示したゴルフクラブヘッドの底面斜視図である。
【００２９】
【図２５】図２５は、図２３に例示したゴルフクラブヘッドの正面図である。
【００３０】
【図２６】図２６は、図２３に例示したゴルフクラブヘッドの背面図である。
【００３１】
【図２７】図２７は、図２３に例示したゴルフクラブヘッドの平面図である。
【００３２】
【図２８】図２８は、図２３に例示したゴルフクラブヘッドの底面図である。
【００３３】
【図２９】図２９は、図２３に例示したゴルフクラブヘッドのトウ側から見た図である。
【００３４】
【図３０】図３０は、図２３に例示したゴルフクラブヘッドのヒール側から見た図である。
【００３５】
【図３１】図３１は、図２３に例示したゴルフクラブヘッドの図２９に示す３１−３１線に沿った断面図である。
【００３６】
【図３２】図３２は、図２３に例示したゴルフクラブヘッドの図２５に示す３２−３２線に沿った断面図である。
【００３７】
【図３３】図３３は、本明細書に記載の装置、方法、及び製造物の一実施形態に関し、図２３のゴルフクラブヘッドの図２９に示す３１−３１線に沿った例示的な断面図である。
【００３８】
【図３４】図３４は、図３３のゴルフクラブヘッドの図２５に示す３２−３２線に沿った断面図である。
【００３９】
【図３５】図３５は、本明細書に記載の装置、方法、及び製造物の一実施形態に関し、図２３のゴルフクラブヘッドの図２９に示す３１−３１線に沿った例示的な断面図である。
【００４０】
【図３６】図３６は、本明細書に記載の装置、方法、及び製造物の一実施形態に関し、図２３のゴルフクラブヘッドの図２９に示す３１−３１線に沿った例示的な断面図である。
【００４１】
【図３７】図３７は、本明細書に記載の装置、方法、及び製造物の一実施形態に関し、図２３のゴルフクラブヘッドの図２９に示す３１−３１線に沿った例示的な断面図である。
【００４２】
【図３８】図３８は、本明細書に記載の装置、方法、及び製造物の一実施形態に関し、図２３のゴルフクラブヘッドの図２９に示す３１−３１線に沿った例示的な断面図である。
【００４３】
【図３９】図３９は、本明細書に記載の装置、方法、及び製造物の一実施形態に関し、図２３のゴルフクラブヘッドの図２９に示す３１−３１線に沿った例示的な断面図である。
【００４４】
【図４０】図４０は、本明細書に記載の装置、方法、及び製造物の一実施形態に関する弾性ポリマー挿入物の斜視図である。
【００４５】
【図４１】図４１は、本明細書に記載の装置、方法、及び製造物の一実施形態に関する例示的なゴルフクラブヘッドの上面斜視図である。
【００４６】
【図４２】図４２は、図４１に例示したゴルフクラブヘッドの底面図である。
【００４７】
【図４３】図４３は、図４１に例示したゴルフクラブヘッドのトウ側から見た図である。
【００４８】
【図４４】図４４は、図４１のゴルフクラブヘッドの図４３に示す４４−４４線に沿った上面透視断面図である。
【００４９】
【図４５】図４５は、本明細書に記載の装置、方法、及び製造物の一実施形態に関し、図４１のゴルフクラブヘッドの図４３に示す４４−４４線に沿った例示的な上面透視断面図である。
【００５０】
【図４６】図４６は、本明細書に記載の装置、方法、及び製造物の一実施形態に関し、図４１のゴルフクラブヘッドの図４３に示す４４−４４線に沿った例示的な上面透視断面図である。
【００５１】
【図４７】図４７は、本明細書に記載の装置、方法、及び製造物の一実施形態に関する弾性ポリマー挿入物の斜視図である。
【００５２】
【図４８】図４８は、本明細書に記載の装置、方法、及び製造物の一実施形態に関する弾性ポリマー挿入物の斜視図である。
【００５３】
【図４９】図４９は、本明細書に記載の装置、方法、及び製造物の一実施形態に関する例示的なゴルフクラブヘッドの上面斜視図である。
【００５４】
【図５０】図５０は、図４９に例示したゴルフクラブヘッドの背面斜視図である。
【００５５】
【図５１】図５１は、図４９に例示したゴルフクラブヘッドのトウ側斜視図である。
【００５６】
【図５２】図５２は、図４９に例示したゴルフクラブヘッドのヒール側斜視図である。
【００５７】
【図５３】図５３は、図４９に例示したゴルフクラブヘッドの底面斜視図である。
【００５８】
【図５４】図５４は、図４８のゴルフクラブヘッドの図５１に示す５４−５４線に沿った断面図である。
【００５９】
【図５５】図５５は、本明細書に記載の装置、方法、及び製造物の一実施形態に関する例示的なゴルフクラブヘッドの上面斜視図である。
【００６０】
【図５６】図５６は、図５５に例示したゴルフクラブヘッドの平面図である。
【００６１】
【図５７】図５７は、図５５に例示したゴルフクラブヘッドの分解斜視図である。
【００６２】
【図５８】図５８は、図５５の別の例示的なゴルフクラブヘッドの分解斜視図である。
【００６３】
【図５９】図５９は、図５５の別の例示的なゴルフクラブヘッドの分解斜視図である。
【００６４】
【図６０】図６０は、本明細書に記載の装置、方法、及び製造物の一実施形態に関する例示的なゴルフクラブヘッドの側面透視断面図である。
【００６５】
【図６１】図６１は、図６０のゴルフクラブヘッドの別の側面透視断面図である。
【００６６】
説明の簡素化及び明確化のために、図面は構造を一般的な方法で示し、周知の機能及び技術の説明及び詳細は本開示を不必要に不明瞭にすることを避けるために省略される。また、図面中の要素は必ずしも一定の縮尺では描かれない。例えば、図面中の一部の要素の寸法は、本開示の実施例の理解の改善を助けるために他の要素に対して誇張され得る。
【発明を実施するための形態】
【００６７】
一般に、ゴルフクラブヘッド及びゴルフクラブヘッド製造方法が本明細書に記載される。本明細書に記載の装置、方法、及び製造物は、これに限定されない。図１〜１３の例では、ゴルフクラブヘッド１００は、ボディ部１１０と、概して第１セットのウェイト部２１０（図２）及び第２セットのウェイト部２２０（図２）として示される、複数のウェイト部１２０とを含んでもよい。ボディ部１１０は、トップ１３０と、ボトム部１４０と、トウ部１５０と、ヒール部１６０と、フロント部１７０と、リア部１８０とを含んでもよい。ボトム部１４０は、トップ部１３０とボトム部１４０との間に、フロント部１７０を除き、トウ部１５０からリア部１７０を回ってヒール部１６０に至るゴルフクラブヘッド１００の周囲を横断して設けられる、ゴルフクラブヘッド１００のサイド部として規定されたスカート部１９０を含んでもよい。ボトム部１４０は、推移領域２３０とウェイトポート領域２４０とを含んでもよい。例えば、ウェイトポート領域２４０は、Ｄ字状の領域であってもよい。ウェイトポート領域２４０は、複数のウェイト部１２０を受ける複数のウェイトポート９００（図９）を含んでもよい。フロント部１７０は、ゴルフボール（不図示）に対するフェース部１７５を含んでもよい。ボディ部１１０は、シャフト（不図示）を受けるホーゼル部１６５を含んでもよい。あるいは、ボディ部１１０は、ホーゼル部１６５に代えてボアを含んでもよい。例えば、ボディ部１１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部１１０は、部分的に又は完全に、セラミック材料、複合材料、それらの任意の組み合わせ、又は他の適切なタイプの材料のような非金属材料で作製されてもよい。
【００６８】
ゴルフクラブヘッド１００は、３００立方センチメートル（ｃｍ3 又はｃｃ）以上のクラブヘッド体積を有してもよい。一例では、ゴルフクラブヘッド１００は、約４６０ｃｃであってもよい。あるいは、ゴルフクラブヘッド１００は、３００ｃｃ以下のクラブヘッド体積を有してもよい。具体的には、ゴルフクラブヘッド１００は、１００ｃｃから２００ｃｃの間のクラブヘッド体積を有してもよい。ゴルフクラブヘッド１００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド１００のクラブヘッド体積を測定するために使用することができる。図１は特定のタイプのクラブヘッド（例えば、ドライバー型クラブヘッド）を示すが、本明細書に記載の装置、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。本明細書に記載の装置、方法、及び製造物は、これに限定されない。
【００６９】
概して４０５、４１０、４１５、４２０、４２５、４３０、４３５（図４）として示される、第１セットのウェイト部２１０の各々は、第１質量と関連付けられてもよい。概して４４０、４４５、４５０、４５５、４６０、４６５、４７０、４７５、４８０（図４）として示される、第２セットのウェイト部２２０の各々は、第２質量と関連付けられてもよい。第１質量は、第２質量より大きくてもよく、又はその逆でもよい。一例では、第１セットのウェイト部２１０は、タングステン系材料で作製され得る一方で、第２セットのウェイト部２２０は、アルミニウム系材料で作製され得る。以下に詳細に説明するように、第１セット及び第２セットのウェイト部２１０、２２０は、それぞれ、種々のウェイト配置を提供することができる（例えば、図１５〜１８）。
【００７０】
図９〜１１を参照すると、例えば、ボディ部１１０のボトム部１４０は、複数のウェイトポート９００を含んでもよい。概して９０５、９１０、９１５、９２０、９２５、９３０、９３５、９４０、９４５、９５０、９５５、９６０、９６５、９７０、９７５、９８０として示される、複数のウェイトポート９００は、ボトム部１４０のウェイトポート領域２４０の周縁に沿って配置される。複数のウェイトポート９００は、ボトム部１４０を横断して設けられてもよい。具体的には、複数のウェイトポート９００は、ボトム部１４０を横断して、トウ部１５０とヒール部１６０のそれぞれの間に設けられてもよい。複数のウェイトポート９００はまた、ボトム部１４０を横断して、フロント部１７０とリア部１８０のそれぞれの間に設けられてもよい。複数のウェイトポート９００は、概ねＤ字状のループを画定する経路に沿ってボトム部１４０を横断して配置されてもよい。一例では、複数のウェイトポート９００は、ボトム部１４０を横断して、トウ部１５０とヒール部１６０のそれぞれの間の最大トウ−ヒール間距離５００の５０％以上に設けてもよい。ゴルフクラブヘッド１００の最大トウ−ヒール間距離５００は、トウ部１５０とヒール部１６０のそれぞれの間で、トップ部１３０とボトム部１４０のそれぞれの間の推移領域から測定されてもよい。あるいは、最大トウ−ヒール間距離５００は、トウ部１５０とヒール部１６０のそれぞれの最外点の垂直投影間の水平距離であってもよい。例えば、最大トウ−ヒール間距離５００は、ゴルフクラブヘッド１００が約６０度のライ角５１０である場合に測定されてもよい。ヒール部１６０の最外点を容易に規定できない場合には、ヒール部１６０の最外点は、接地面５３０（例えば、ゴルフクラブヘッド１００が置かれる水平面）の上側の約０．８７５インチ（２２．２３ミリメートル）の高さ５２０に決めてもよい。複数のウェイトポート９００は、ゴルフクラブヘッド１００の最大トウ−ヒール間クラブヘッド距離５００の５０％以上に設けられてもよい。具体的には、複数のウェイトポート９００は、ゴルフクラブヘッド１００の最大トウ−ヒール間クラブヘッド距離５００の５０％以上である最大トウ−ヒール間ウェイトポート距離９９５でトウ部１５０とヒール部の間に設けられてもよい。一例では、ゴルフクラブヘッド１００の最大トウ−ヒール間クラブヘッド距離５００は、５インチ（１２７ミリメートル）以上でなくともよい。従って、複数のウェイトポート９００は、トウ部１５０とヒール部１６０のそれぞれの間の少なくとも２．５インチのウェイトポート最大トウ−ヒール間ウェイトポート距離に設けられてもよい。最大トウ−ヒール間ウェイトポート距離９９５は、トウ部１５０から最も遠いウェイトポートのヒール側の境界とヒール部１６０から最も遠いウェイトポートのトウ側の境界との間の最大距離であってもよい。図９の例では、ウェイトポート最大トウ−ヒール間ウェイトポート距離９９５は、ウェイトポート９４０のヒール側の境界とウェイトポート９８０のトウ側の境界との間の最大距離であってもよい。例えば、最大トウ−ヒール間ウェイトポート距離９９５は、約３．７インチであってもよい。ゴルフのルールが時々変更される（例えば、ゴルフ標準団体及び／又は運営組織によって、新たな規則が採用され、又は古い規定が撤廃又は修正される）ように、最大トウ−ヒール間クラブヘッド距離５００を測定するためのライ角５１０及び／又は高さ５２０も変更されてもよい。本明細書に記載の装置、方法、及び製造物は、これに限定されない。
【００７１】
複数のウェイトポート９００の各々は、ポート径（Ｄport）（例えば、図１１に１１０５、１１１０として示される）と関連付けられてもよい。例えば、複数のウェイトポート９００の各ウェイトポートのポート径は、約０．３インチ（７．６５ミリメートル）であってもよい。あるいは、隣接するウェイトポートのポート径は、異なってもよい。一例では、ウェイトポート９０５は、ポート径１１０５と関連付けられてもよく、ウェイトポート９１０は、ポート径１１１０と関連付けられてもよい。具体的には、ウェイトポート９０５のポート径１１０５は、ウェイトポート９１０のポート径１１１０より大きくてもよく、又はその逆でもよい。本明細書に記載の装置、方法、及び製造物は、これに限定されない。
【００７２】
ボトム部１４０はまた、外側面９９０を含んでもよい。図１０に示すように、例えば、複数のウェイトポート９００は、外側面９９０によって形成された外側面カーブ１０９０に関してボトム部１４０に形成されてもよい。具体的には、複数のウェイトポート９００の各々は、概して１１０５、１０１０、１０１５として示されるポート軸と関連付けられてもよい。ウェイトポートの中心は、ウェイトポートのポート軸を規定してもよい。各ポート軸は、ポート軸と外側面カーブ１０９０との交点で外側面カーブ１０９０に接する面に対して垂直又は実質的に垂直であってもよい。一例では、実質的に垂直とは、垂直から±５°のずれを指すものでもよい。他の例では、実質的に垂直とは、垂直から±３°のずれを指すものでもよい。垂直からのずれは、製造上の公差に依存してもよい。
【００７３】
一例では、ポート軸１０１０は、外側面カーブ１０９０の接平面１０１２に対して垂直又は実質的に垂直（すなわち、法線）であってもよい。複数の固定具を、種々の位置でのゴルフクラブヘッド１００の位置調整によって複数のウェイトポート９００を作製するために使用されてもよい。あるいは、ウェイトポートは、複数のウェイトポート９００を形成するために余分な材料を（例えば、水ジェット切断及び／又はレーザー切断による）フライス加工で取り除くよう複数の軸の周りにゴルフクラブヘッドを回転させることができる、多軸加工プロセスによって作製されてもよい。更に、多軸加工プロセスは、フライス工具を表面の周囲に接線方向に移動できるので、適切な表面仕上げを提供することができる。従って、本明細書に記載の装置、方法、及び製造物は、ボトム部１４０に複数のウェイトポート９００の各々を形成するために多軸加工プロセスを使用してもよい。例えば、５軸フライス盤は、複数のウェイトポート９００の各々のポート軸１０００を外側面カーブ１０９０に対して垂直又は実質的に垂直となるように、複数のウェイトポート９００を形成することができる。５軸フライス盤の工具は、外側面９９０の外側面カーブ１０９０について接線方向に移動されてもよい。
【００７４】
図１１を参照すると、例えば、隣接する２つのウェイトポートは、外側面カーブ１０９０上の隣接する２つのウェイトポート間の最短距離であるポート距離１１００で離されてもよい。具体的には、ポート距離１１００は、隣接する２つのウェイトポートのうちのいずれかのポート径以下であってもよい。一例では、ウェイトポート９０５、９１０間のポート距離１１００は、ポート径１１０５又はポート径１１１０のいずれか以下であってもよい。本明細書に記載の装置、方法、及び製造物は、これに限定されない。
【００７５】
複数のウェイト部１２０は、類似又は異なる物理的特性（例えば、密度、形状、質量、体積、サイズ、色、等）を有してもよい。一例では、第１セットのウェイト部２１０は、黒色であり得る一方で、第２セットのウェイト部２２０は、灰色又は鋼色であり得る。複数のウェイト部１２０の一部又は全部は、部分的に又は完全に、鋼系材料、タングステン系材料、アルミニウム系材料のような金属材料、それらの任意の組み合わせ又は適切なタイプの材料で作製されてもよい。あるいは、複数のウェイト部１２０の一部又は全部は、部分的に又は完全に、非金属材料（例えば、複合材料、プラスチック、等）で作製されてもよい。
【００７６】
図１２、１３に例を図示するように、複数のウェイト部１２０の各ウェイト部は、円筒形状（例えば、円形の断面）を有してもよい。上記の例は特定の形状を持つウェイト部を記載しているが、本明細書に記載の装置、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。複数のウェイト部１２０の各ウェイト部は、径１２００及び高さ１３００と関連付けられてもよい。一例では、複数のウェイト部１２０の各ウェイト部は、約０．３インチ（７．６２ミリメートル）の径及び約０．２インチ（５．０８ミリメートル）の高さを有してもよい。あるいは、第１及び第２セットのウェイト部２１０、２２０は、それぞれ、幅及び／又は高さが異なってもよい。
【００７７】
他のゴルフクラブヘッドとしてリアからフロントに向かう方向に代えて、複数のウェイト部１２０の各ウェイト部は、ボトムからトップに向かう方向の複数のウェイトポート４００の１つに係合してもよい。複数のウェイト部１２０は、ウェイトポートに固定するためのネジ山を含んでもよい。例えば、複数のウェイト部１２０の各ウェイト部は、ネジであってもよい。複数のウェイト部１２０は、工具有り又は無しで、ボディ部１１０から容易に取り外し可能でなくともよい。あるいは、複数のウェイト部１２０は、１以上のウェイト部１２０を相対的に重い又は軽いウェイト部にそれぞれ付け替えることができるように、（例えば、工具有りで）容易に取り外し可能であってもよい。別の例では、複数のウェイト部１２０は、複数のウェイト部１２０を容易に取り外しできないように、エポキシ樹脂又は接着剤でボディ部１１０のウェイトポートに固定されてもよい。更に別の例では、複数のウェイト部１２０は、複数のウェイト部１２０を容易に取り外しできないように、エポキシ樹脂及びネジ山の両方でボディ部１１０のウェイトポートに固定されてもよい。本明細書に記載の装置、方法、及び製造物は、これに限定されない。
【００７８】
他のゴルフクラブヘッドとは対照的に、ゴルフクラブヘッド１００は、少なくとも４つの異なるタイプのゴルフスイングに対応することができる。図１４に示すように、例えば、各ウェイト配置は、概して１４１０、１４２０、１４３０として示される、複数の打ち出し軌道プロファイル１４００の１つと関連付けられてもよい。図１５を参照すると、例えば、第１のウェイト配置１５００では、ウェイト部４０５、４１０、４１５、１２０、４２５、４３０、４３５によって画定され得る第１セットのウェイト部は、フロント部１７０に向かって配置され得る一方で、ウェイト部４４０、４４５、４５０、４５５、４６０、４６５、４７０、４７５によって画定され得る第２セットのウェイト部は、第１セットのウェイトポート１５１０の配置に従ってリア部１８０に向かって配置され得る。第１のウェイト配置１５００は、第１の打ち出し軌道プロファイル１４１０（図１４）と関連付けられてもよい。具体的には、第１のウェイト配置１５００は、ゴルフボールのスピンレートを減少させることができる。第１セットのウェイトポート１５１０の配置に従ってゴルフクラブヘッド１００のフロント部１７０に向かって比較的重いウェイト部（すなわち、第１セットのウェイト部）を配置することで、ゴルフクラブヘッド１００の重心（ＧＣ）を、比較的低い打ち出し及びスピン軌道を提供するように比較的前方及び下方に移動させることができる。その結果、第１の打ち出し軌道プロファイル１４１０は、比較的大きいロール距離（すなわち、地面に衝突した後の距離）と関連付けることができる。上記の例は、特定のウェイトポートにウェイト部を配置する記述であるが、第１セットのウェイト部２１０の任意のウェイト部は、第１セットのウェイトポート１５１０の任意のウェイトポートに配置されてもよい。
【００７９】
図１６を参照すると、例えば、第２のウェイト配置１６００では、ウェイト部４０５、４１０、４１５、１２０、４２５、４３０、４３５によって画定され得る第１セットのウェイト部は、リア部１８０に向かって配置され得る一方で、ウェイト部４４０、４４５、４５０、４５５、４６０、４６５、４７０、４７５によって画定され得る第２セットのウェイト部は、第２セットのウェイトポート１６１０の配置に従ってフロント部１７０に向かって配置され得る。第２のウェイト配置１６００は、第２の打ち出し軌道プロファイル１４２０（図１４）と関連付けられてもよい。具体的には、第２のウェイト配置１６００は、ゴルフボールの打ち出し角を増加させ、寛容性を最大にすることができる。第２セットのウェイトポート１６１０の配置に従ってゴルフクラブヘッド１００のリア部１８０に向かって比較的重いウェイト部（すなわち、第１セットのウェイト部）を配置することで、ゴルフクラブヘッド１００の重心（ＧＣ）を、比較的高い打ち出し及びスピン軌道を提供するように比較的後方及び上方に移動させることができる。更に、ゴルフクラブヘッド１００の慣性モーメント（ＭＯＩ）を、水平軸（フロント−バック軸）と垂直軸（トップ−ボトム軸）の両方で増加させることができ、中心を外れた打撃のより高い寛容性を提供することができる。その結果、第２の打ち出し軌道プロファイル１４２０は、比較的大きいキャリー距離（すなわち、空中の距離）と関連付けることができる。
【００８０】
図１７を参照すると、例えば、第３のウェイト配置では、ウェイト部４０５、４１０、４１５、１２０、４２５、４３０、４３５によって画定され得る第１セットのウェイト部は、ヒール部１６０に向かって配置され得る一方で、ウェイト部４４０、４４５、４５０、４５５、４６０、４６５、４７０、４７５によって画定され得る第２セットのウェイト部は、第３セットのウェイトポート１７１０の配置に従ってトウ部１５０に向かって配置され得る。第３のウェイト配置１７００は、第３の打ち出し軌道プロファイル１４３０（図１４）と関連付けられてもよい。具体的には、第３のウェイト配置１７００は、各人がゴルフクラブヘッド１００を比較的容易にターンオーバーすることを可能にすることができる（すなわち、ゴルフボールのインパクトに対してフェース部１７５を整える）。ゴルフクラブヘッド１００のヒール部１６０に向かって比較的重いウェイト部（すなわち、第１セットのウェイト部）を配置することで、ゴルフクラブヘッド１００の重心（ＧＣ）をシャフトの軸の比較的近くに移動させることができる。
【００８１】
図１８を参照すると、例えば、第４のウェイト配置１８００では、ウェイト部４０５、４１０、４１５、１２０、４２５、４３０、４３５によって画定され得る第１セットのウェイト部は、トウ部１５０に向かって配置され得る一方で、ウェイト部４４０、４４５、４５０、４５５、４６０、４６５、４７０、４７５によって画定され得る第２セットのウェイト部は、第４セットのウェイトポート１８１０の配置に従ってヒール部１６０に向かって配置され得る。第４のウェイト配置１８００は、第３の打ち出し軌道プロファイル１４３０（図１４）と関連付けられてもよい。具体的には、第４のウェイト配置１８００は、各人がゴルフクラブヘッド１００をターンオーバーすることを妨げるようにしてもよい（すなわち、フェース部１７５をゴルフボールのインパクトに対してよりオープンにする）。ゴルフクラブヘッド１００のトウ部１５０に向かって比較的重いウェイト部（すなわち、第１セットのウェイト部）を配置することで、ゴルフクラブヘッド１００の重心（ＧＣ）をシャフトの軸から比較的遠くに移動させることができる。第４のウェイト配置１８００は、フェードのゴルフショット（図１９に示すように、例えば、右利きの人にとって、ゴルフボールがターゲット１９１０の左に向かって進み、ターゲットの右に向かって戻るように曲がる軌道又はボールの飛行）になることがある。本明細書に記載の装置、方法、及び製造物は、これに限定されない。
【００８２】
図２０は、本明細書に記載のゴルフクラブヘッド１００を製造する１つの方法を示す図である。図２０の例では、プロセス２０００は、複数のウェイト部を供給することで開始され得る（ブロック２０１０）。複数のウェイト部は、第１セットのウェイト部及び第２セットのウェイト部を含んでもよい。第１セットのウェイト部の各ウェイト部は、第１質量と関連付けられ得る一方で、第２セットのウェイト部の各ウェイト部は、第２質量と関連付けられ得る。第１質量は、第２質量より大きくてもよい。一例では、第１セットのウェイト部の各ウェイト部は、２．６グラムの質量のタングステン系材料で作製され得る一方で、第２セットのウェイト部の各ウェイト部は、０．４グラムの質量のアルミニウム系材料で作製され得る。第１セットのウェイト部は、灰色又は鋼色であり得る一方で、第２セットのウェイト部は、黒色であり得る。プロセス２０００は、ゴルフクラブヘッドのボディ部を供給してもよい（ブロック２０２０）。ボディ部は、フロント部、リア部、トウ部、ヒール部、トップ部、外側面カーブと関連付けられた外側面を持つボトム部、及びトップ部とボトム部の間のスカート部を含んでもよい。プロセス２０００は、ボトム部及びスカート部又はそれらの近傍に位置するウェイトポート領域を形成してもよい（ブロック２０３０）。推移領域は、ウェイトポート領域の周りを取り囲んでもよい。プロセス２０００は、ウェイトポート領域の周縁に沿って複数のウェイトポートを形成してもよい（ブロック２０４０）。複数のウェイトポートの各ウェイトポートは、ポート径と関連付けられて、複数のウェイト部の少なくとも１つのウェイト部を受けるよう構成されてもよい。隣接する２つのウェイトポートは、ポート径以下で離されてもよい。更に、複数のウェイトポートの各ウェイトポートは、ポート軸と関連付けられてもよい。ポート軸は、ゴルフクラブヘッドのボトム部の外側面カーブの接平面に対して垂直又は実質的に垂直であってもよい。図２０のプロセス２０００の例は、単に、ゴルフクラブヘッド１００を製造する１つの方法の例を図１〜１９と共に提供し、説明している。アクションの特定の順序を図２０に示しているが、これらのアクションは、他の経時的な順番で実行されてもよい。例えば、図２０に示す２以上のアクションは、連続して、同時に、又は一斉に実行されてもよい。図２０は特定の数のブロックを示すが、プロセスは、１以上のブロックを実行しなくてもよい。本明細書に記載の装置、方法、及び製造物は、これに限定されない。
【００８３】
上記の例に示すように、複数のウェイト部１２０及び複数のウェイトポート９００は、概して図４に４９０、９９５として示すように、２つの弧で形成された概ねＤ字状のループを画定する経路に沿ってウェイトポート領域２４０の周縁に配置されてもよい。例えば、ウェイト部４０５、４１０、４１５、４２０、４２５、４３０、４３５（図４）、及び、ウェイトポート９０５、９１０、９１５、９２０、９２５、９３０、９３５（図９）は、第１の弧４９０を形成してもよい。具体的には、第１の弧４９０は、頭部１５０とヒール部１６０のそれぞれの間に、ボトム部１４０を横断して設けられてもよい。ウェイト部４４０、４４５、４５０、４５５、４６０、４６５、４７０、４７５、４８０（図４）、及び、ウェイトポート９４０、９４５、９５０、９５５、９６０、９６５、９７０、９８０（図９）は、第２の弧４９５を形成してもよい。第２の弧４９５は、概ねボディ部１１０のリア部１８０の輪郭に従ってもよい。あるいは、第１及び第２の弧４９０、４９５は、ボトム部１４０を横断して設けられる他の形状のループを画定してもよい（例えば、概ねＯ字状のループ）。本明細書に記載の装置、方法、及び製造物は、これに限定されない。
【００８４】
上記の例は、特定の幾何学的形状に形成された複数のウェイト部１２０及び複数のウェイトポート９００を記載するが、本明細書に記載の装置、方法、および製造物は、他の幾何学的形状に形成されたウェイト部領域の周縁に沿って設けられたウェイト部及びウェイトポートを有してもよい。図２１を参照すると、例えば、ゴルフクラブヘッド２１００は、ボトム部２１１０と、複数のウェイトポート２１３０に配置された複数のウェイト部２１２０とを含んでもよい。複数のウェイトポート２１３０は、ボトム部２１１０のウェイトポート領域２１４０の周縁に沿って配置されてもよい（すなわち、複数のウェイトポート２１３０は、トウ部２１１２とヒール部２１１４のそれぞれの間にボトム部２１１０を横断して設けられてもよい）。複数のウェイト部１２０及び複数のウェイトポート９００（例えば、図４、９）とは対照的に、複数のウェイトポート２１３０は、ボトム部２１１０を横断して設けられる、概して２１５０、２１５５として示される、２つの別々の弧を形成してもよい。
【００８５】
第１の弧２１５０は、トウ部２１１２とヒール部２１１４との間に設けられてもよい。第１の弧２１５０は、ゴルフクラブヘッド２１００のフロント部２１７０に向かってカーブしてもよい（すなわち、フロント部２１７０に関連して凹状である）。図２１の例によれば、第１の弧２１５０は、トウ部２１１２の近傍の領域からフロント部２１７０の近傍の領域、及び、フロント部２１７０の近傍の領域からヒール部２１１４の近傍の領域に設けられてもよい（すなわち、フロント部２１７０に関連して凹状である）。従って、第１の弧２１５０は、トウ部２１１２とヒール部２１１４との間に延びる、ゴルフクラブヘッド２１００のリア部２１８０に向くＣ字状の弧のように見えてもよい。第２の弧２１５５もまた、トウ部２１１２とヒール部２１１４との間に設けられてもよい。第２の弧２１５５は、ゴルフクラブヘッド２１００のリア部２１８０に向かってカーブしてもよい（すなわち、リア部２１８０に関連して凹状である）。従って、第２の弧２１５５は、トウ部２１１２とヒール部２１１４との間に延びる、ゴルフクラブヘッド２１００のフロント部２１７０に向くＣ字状の弧のように見えてもよい。更に、第１の弧２１５０は、第２の弧２１５５よりフロント部２１７０に近くてもよい。第１の弧２１５０と第２の弧２１５５は、第１の弧２１５０と第２の弧２１５５のそれぞれがボトム部２１１０の周縁に沿って離れて設けられるように、別々であってもよい。従って、ボトム部２１１０は、第１の弧２１５０のウェイトポート２１３０と第２の弧２１５５のウェイトポート２１３０との間でボトム部２１１０の周縁に沿ったギャップ２１９０、２１９２を含んでもよい。ギャップ２１９０及び／又は２１９２は、ギャップ２１９０及び／又は２１９２に隣接するウェイトポート２１３０のようなウェイトポート２１３０のいずれかのポート径以上であってもよい。図２１に示す一例によれば、ギャップ２１９０、２１９２は、ギャップ２１９０、２１９２に隣接するウェイトポート２１３０の直径より桁違いに大きくてもよい。本明細書に記載の装置、方法、及び製造物は、これに限定されない。
【００８６】
図２１を参照すると、例えば、第１の弧２１５０は、特定のゴルフクラブヘッド（例えば、フェアウェイウッド型ゴルフクラブヘッド及び／又はハイブリッド型ゴルフクラブヘッド）に適するように、第２の弧２１５５より多くのウェイトポート２１３０を含んでもよい。あるいは、第２の弧２１５５は、第１の弧２１５０と同じ又はより多くのウェイトポート２１３０を含んでもよい。第１の弧２１５０及び第２の弧２１５５内の各々のウェイトポート２１３０の数、各ウェイトポート２１３０と関連付けられたウェイト部２１２０、隣接するウェイトポート２１３０間の間隔は、ゴルフクラブのタイプ、ゴルフクラブヘッド２１００の好ましい重量分布、及び／又はゴルフクラブヘッド２１００の重心位置に基づいて決定されてもよい。
【００８７】
第１の弧２１５０及び／又は第２の弧２１５５のウェイトポート２１３０は、第１の弧２１５０及び／又は第２の弧２１５５のそれぞれに沿って同じ又は略同じ距離で互いに離されてもよい。第１の弧２１５０や第２の弧２１５５のウェイトポート２１３０間、又は、本明細書に記載された任意のウェイトポート間の間隔の変化は、製造精度に関連する製造公差及び／又は費用対効果などの、異なる製造上の検討事項に起因してもよい。例えば、第１の弧２１５０及び／又は第２の弧２１５５のウェイトポート２１３０間の間隔の変化は、１／１６インチから０．００１インチの間であってもよい。本明細書で説明するように、隣接するウェイトポート２１３０間の距離（すなわち、ポート距離）は、隣接する２つのウェイトポートのいずれかのポート径以下であってもよい。複数のウェイトポート２１３０は、ゴルフクラブヘッド２１００の最大トウ−ヒール間クラブヘッド距離２１９５の５０％以上である最大トウ−ヒール間ウェイトポート距離でトウ部２１１２とヒール部２１１４との間に設けられてもよい。最大トウ−ヒール間ウェイトポート距離は、トウ部２１１２から最も遠いウェイトポートのヒール側の境界とヒール部２１１４から最も遠いウェイトポートのトウ側の境界との間の最大距離であってもよい。
【００８８】
具体的には、ゴルフクラブヘッド２１００は、４３０ｃｃ未満の体積を有してもよい。例えば、ゴルフクラブヘッド２１００は、１００ｃｃから４００ｃｃの範囲の体積を有してもよい。別の例では、ゴルフクラブヘッド２１００は、１５０ｃｃから３５０ｃｃの範囲の体積を有してもよい。更に別の例では、ゴルフクラブヘッド２１００は、２００ｃｃから３００ｃｃの範囲の体積を有してもよい。ゴルフクラブヘッド２１００は、１００グラムから３５０グラムの範囲の質量を有してもよい。別の例では、ゴルフクラブヘッド２１００は、１５０グラムから３００グラムの範囲の質量を有してもよい。更に別の例では、ゴルフクラブヘッド２１００は、２００グラムから２５０グラムの範囲の質量を有してもよい。ゴルフクラブヘッド２１００は、１０°から３０°の範囲のロフト角を有してもよい。別の例では、ゴルフクラブヘッド２１００は、１３°から２７°の範囲のロフト角を有してもよい。例えば、ゴルフクラブヘッド２１００は、フェアウェイウッド型ゴルフクラブヘッドであってもよい。あるいは、ゴルフクラブヘッド２１００は、小さめのドライバー型ゴルフクラブヘッドであってもよい（例えば、フェアウェイウッド型ゴルフクラブヘッドより大きいがドライバー型ゴルフクラブヘッドより小さい）。本明細書に記載の装置、方法、及び製造物は、これに限定されない。
【００８９】
図２２に示すように、例えば、ゴルフクラブヘッド２２００は、ボトム部２２１０と、複数のウェイトポート２２３０に配置された複数のウェイト部２２２０とを含んでもよい。ウェイトポート領域２２４０の周縁に沿って配置された複数のウェイトポート２２３０は、ボトム部２２１０を横断して延びる、概して２２５０として示される、弧を画定する経路に沿って配置されてもよい（すなわち、複数のウェイトポート２２３０は、ボトム部２２１０を横断してトウ部２２１２とヒール部２２１４のそれぞれの間に設けられてもよい）。弧２２５０は、ゴルフクラブヘッド２２００のリア部２２８０に向かってカーブしてもよい（すなわち、リア部２２８０に関連して凹状である）。図２２の例によれば、弧２２５０は、トウ部２２１２の近傍の領域からリア部２２８０の近傍の領域、及び、リア部２２８０の近傍の領域からヒール部２２１４の近傍の領域に設けられてもよい（すなわち、リア部２２８０に関連して凹状である）。従って、弧２２５０は、ヒール部２２１４の近くからトウ部２２１２の近くに延びる、ゴルフクラブヘッド２２００のフロント部２２７０に向くＣ字状の弧のように見えてもよい。更に、弧２２５０の曲率は、ゴルフクラブヘッド２２００のリア部２２８０の輪郭と実質的に同様であってもよく、又は概ね従ってもよい。弧２２５０内のウェイトポート２２３０の数、各ウェイトポート２２３０と関連付けられたウェイト部２２２０、隣接するウェイトポート２２３０間の間隔は、ゴルフクラブのタイプ、ゴルフクラブヘッド２２００の好ましい重量分布、及び／又はゴルフクラブヘッド２２００の重心位置に基づいて決定されてもよい。
【００９０】
弧２２５０のウェイトポート２２３０は、弧２２５０に沿って同じ又は略同じ距離で互いに離されてもよい（例えば、ウェイトポート２２３０は、実質的に同様な間隔で互いに離されてもよい）。弧２２５０のウェイトポート２２３０間、又は、本明細書に記載された任意のウェイトポート間の間隔の変化は、製造精度に関連する製造公差及び／又は費用対効果などの、異なる製造上の検討事項に起因してもよい。例えば、弧２２５０のウェイトポート２２３０間の間隔の変化は、１／１６インチから０．００１インチの間であってもよい。本明細書で説明するように、隣接するウェイトポート２２３０間の距離（すなわち、ポート距離）は、隣接する２つのウェイトポートのいずれかのポート径以下であってもよい。複数のウェイトポート２２３０は、ゴルフクラブヘッド２２００の最大トウ−ヒール間クラブヘッド距離２２９０の５０％以上である最大トウ−ヒール間ウェイトポート距離でトウ部２２１２とヒール部２２１４との間に設けられてもよい。最大トウ−ヒール間ウェイトポート距離は、トウ部２２１２から最も遠いウェイトポートのヒール側の境界とヒール部２２１４から最も遠いウェイトポートのトウ側の境界との間の最大距離であってもよい。
【００９１】
具体的には、ゴルフクラブヘッド２２００は、２００ｃｃ未満の体積を有してもよい。例えば、ゴルフクラブヘッド２２００は、５０ｃｃから１５０ｃｃの範囲の体積を有してよい。別の例では、ゴルフクラブヘッド２２００は、６０ｃｃから１２０ｃｃの範囲の体積を有してもよい。更に別の例では、ゴルフクラブヘッド２２００は、７０ｃｃから１００ｃｃの範囲の体積を有してもよい。ゴルフクラブヘッド２２００は、１８０グラムから２７５グラムの範囲の質量を有してもよい。別の例では、ゴルフクラブヘッド２２００は、２００グラムから２５０グラムの範囲の質量を有してもよい。ゴルフクラブヘッド２２００は、１５°から３５°の範囲のロフト角を有してもよい。別の例では、ゴルフクラブヘッド２２００は、１７°から３３°の範囲のロフト角を有してもよい。例えば、ゴルフクラブヘッド２２００は、ハイブリッド型ゴルフクラブヘッドであってもよい。本明細書に記載の装置、方法、及び製造物は、これに限定されない。
【００９２】
図２３〜３２の例では、ゴルフクラブヘッド２３００は、ボディ部２３１０と、概して第１セットのウェイト部２４１０及び第２セットのウェイト部２４２０（図２４）として示される、複数のウェイト部２３２０とを含んでもよい。ボディ部２３１０は、トップ部２３３０と、ボトム部２３４０と、トウ部２３５０と、ヒール部２３６０と、フェース部２３７５を持つフロント部２３７０と、リア部２３８０とを含んでもよい。ボトム部２３４０は、トップ部２３３０とボトム部２３４０との間に、フロント部２３７０を除き、トウ部２３５０からリア部２３８０を回ってヒール部２３６０に至るゴルフクラブヘッド２３００の周囲を横断して設けられる、ゴルフクラブヘッド２３００のサイド部として規定されたスカート部２３９０を含んでもよい。ボトム部２３４０は、推移領域２４３０とウェイトポート領域２４４０とを含んでもよい。例えば、ウェイトポート領域２４４０は、Ｄ字状の領域であってもよい。ウェイトポート領域２４４０は、複数のウェイト部２３２０を受ける複数のウェイトポート２８００（図２８）を含んでもよい。ボディ部２３１０は、シャフト（不図示）を受けるホーゼル部２３６５を含んでもよい。ホーゼル部２３６５は、ボディ部２３１０と一体的な部分でもよく、別体の部分でもよい。例えば、ホーゼル部２３６５は、一方の端部がシャフトを受けると共に他方の端部がボディ部２３１０に挿入されるホーゼルスリーブを含んでもよい。あるいは、ボディ部２３１０は、ホーゼル部２３６５に代えてボアを含んでもよい。ゴルフクラブヘッド２３００は、ゴルフクラブヘッド１００又は本明細書に記載の任意のゴルフクラブヘッドと同様な材料から構成されてもよく、同様な体積を有してもよく、同じタイプのゴルフクラブヘッドであってもよい。本明細書に記載の装置、方法、及び製造物は、これに限定されない。
【００９３】
概して２６０５、２６１０、２６１５、２６２０として示される、第１セットのウェイト部２４１０の各々は、第１質量と関連付けられてもよい。概して２６４０、２６４５、２６５０、２６５５、２６６０、２６６５、２６７０として示される、第２セットのウェイト部２４２０の各々は、第２質量と関連付けられてもよい。第１質量は、第２質量より大きくてもよく、又はその逆でもよい。第１セット及び第２セットのウェイト部２４１０、２４２０は、それぞれ、ゴルフクラブヘッド１００又は本明細書に記載の任意のゴルフクラブヘッドに対する種々のウェイト配置と同様な、種々のウェイト配置をゴルフクラブヘッド２３００に対して提供することができる。あるいは、第１セット及び第２セットのウェイト部２４１０、２４２０の全てのウェイト部は、それぞれ、同じ質量を有してもよい。すなわち、第１質量と第２質量は互いに等しくてもよい。複数のウェイト部２３２０は、類似又は異なる物理的特性（例えば、密度、形状、質量、体積、サイズ、色、等）を有してもよい。ウェイト部２３２０は、ゴルフクラブヘッド１００又は本明細書に記載の任意のゴルフクラブヘッドのウェイト部１２０と多くの点で類似してもよい。本明細書に記載の装置、方法、及び製造物は、これに限定されない。本明細書に記載の装置、方法、及び製造物は、これに限定されない。
【００９４】
図２８を参照し、例えば、ボディ部２３１０のボトム部２３４０は、複数のウェイトポート２８００を含んでもよい。概して２８０５、２８１０、２８１５、２８２０、２８４０、２８４５、２８５０、２８５５、２８６０、２８６５、２８７０として示される、複数のウェイトポート２８００は、ボトム部２３４０のウェイトポート領域２４４０の周縁に、及び／又はそれに沿って配置されてもよい。複数のウェイトポート２８００の各々は、ゴルフクラブヘッド１００又は本明細書に記載の任意のゴルフクラブヘッドの任意のウェイトポートと多くの点（例えば、ポート径）で類似してもよい。更に、複数のウェイトポート２８００の各々は、ゴルフクラブヘッド１００又は本明細書に記載の任意のゴルフクラブヘッドのウェイトポート９００の構成と同様にボトム部２３４０に形成されてもよい。また更に、複数のウェイトポート２８００は、ゴルフクラブヘッド１００又は本明細書に記載の任意のゴルフクラブヘッドのウェイトポート９００の配置と同様にボトム部２３４０を横断して設けられてもよい。しかしながら、ボトム部２３４０のウェイトポート２８００の配置は、ゴルフクラブヘッド１００又は本明細書に記載の任意のゴルフクラブヘッドのウェイトポート９００の配置と異なってもよい。本明細書に記載の装置、方法、及び製造物は、これに限定されない。
【００９５】
図２３〜３２に示す一例では、ボトム部２３４０は、外側面２３４２及び内側面２３４４を含んでもよい。外側面２３４２及び内側面２３４４の各々は、概して３１１０、３１２０、３１４０として示される、１つ又は複数の支持部を含んでもよい。外側面２３４２は、少なくとも１つの外側支持部３１１０を含んでもよく、内側面２３４４は、第１セットの内側支持部３１２０（概して、内側支持部３１２１、３１２２、３１２３、３１２４、３１２５、３１２６、３１２７、３１２８、３１２９、３１３０、３１３１、３１３２、３１３３として示される）及び第２セットの内側支持部３１４０（概して、内側支持部３１４１、３１４２、３１４３、３１４４、３１４５、３１４６として示される）を含んでもよい。本明細書に記載の装置、方法、及び製造物は、これに限定されない。
【００９６】
外側支持部３１１０は、ボトム部２３４０及び／又はスカート部２３９０の、任意のウェイトポート２８００の間に及び／又はトウ部２３５０とヒール部２３６０とフロント部２３７０とリア部２３８０とで画定されるボディ部２３１０の周縁に、配置されてもよい。しかしながら、外側支持部３１１０は、ゴルフクラブヘッド２３００の構造的支持のために、ゴルフクラブヘッド２３００の任意の位置に配置されてもよい。図２３〜３２の例では、外側支持部３１１０は、ボトム部２３４０及び／又はスカート部２３９０の、ボディ部２３１０の周縁に近接してリア部２３８０からトウ部２３５０に向かって、及び／又はトウ部２３５０まで延びる、溝又は刻み目によって画定されてもよい。外側支持部３１１０は、任意の構造を有してもよい。図３１に示すように、外側支持部３１１の幅は、リア部２３８０からトウ部２３５０に向かって増大してもよく、更に、外側支持部３１１は、リア部２３８０とトウ部２３５０の間のボディ部２３１０の周縁の輪郭に沿ってもよい。従って、外側支持部３１１０は、ボトム部２３４０にある湾曲した三角形の溝に似ていてもよい。外側支持部３１１０の深さも、変化してもよい。あるいは、外側支持部３１１０の深さは、一定であってもよい。更に、外側支持部３１１０の深さは、ボトム部２３４０の厚さとボトム部２３４０を形成する材料に基づいて決定されてもよい。本明細書に記載の装置、方法、及び製造物は、これに限定されない。
【００９７】
第１セットの内側支持部３１２０の各内側支持部は、壁、リブ、及び／又はボトム部２３４０の内側面２３４４からの任意の突出部を含んでもよい。第１セットの内側支持部３１２０の各内側支持部は、各ウェイトポート２８００から延びて、隣接するウェイトポート２８００又は隣接しない他の１以上のウェイトポート２８００と接続してもよい。図３１に示すように、例えば、内側支持部３１２１は、ボトム部２３４０の内側面２３４４から突出してウェイトポート２８０５と２８１０を接続する壁を含んでもよい。同様に、図３１に示すように、隣接するウェイトポート２８１０と２８１５、２８１５と２８２０、２８２０と２８４０、２８４０と２８４５、２８４５と２８５０、２８５０と２８５５、２８５５と２８６０、２８６０と２８６５、２８６５と２８７０、２８７０と２８０５の各ペアは、それぞれ、内側支持部３１２２、３１２３、３１２４、３１２５、３１２６、３１２７、３１２８、３１２９、３１３０、３１３１によって接続されてもよい。従って、第１セットの内側支持部３１２０の内側支持部３１２１〜３１３１は、ボトム部２３４０の内側面２３４４にループ状支持領域３１５０を画定することができる。本明細書に記載の装置、方法、及び製造物は、これに限定されない。
【００９８】
更に、内側支持部３１３２は、ボトム部２３４０の内側面２３４４から突出してウェイトポート２８０５と２８５５のような隣接しない２つのウェイトポートを接続する壁を含んでもよい。内側支持部３１３３は、ボトム部２３４０の内側面２３４４から突出してウェイトポート２８２０と２８５５のような隣接しない２つのウェイトポートを接続する壁を含んでもよい。従って、内側支持部３１２１、３１２２、３１２３、３１３２、３１３３は、ボトム部２３４０の内側面２３４４に、ループ状支持領域３１５０に部分的に含まれると共にループ状支持領域３１５０に部分的に重なる三角形支持領域３１６０を画定することができる。ウェイトポート２８０５、２８２０、２８５５は、三角形支持領域３１６０の頂点を画定してもよい。第１セットの内側支持部３１２０は、任意の構造を有してもよく、任意の２以上のウェイトポートを接続してもよく、及び／又は任意の形状を画定してもよい。本明細書に記載の装置、方法、及び製造物は、これに限定されない。
【００９９】
第２セットの内側支持部３１４０の各内側支持部は、壁、リブ、及び／又はボトム部２３４０の内側面２３４４の任意の突出部を含んでもよい。第２セットの内側支持部３１４０の各内側支持部（概して内側支持部３１４１、３１４２、３１４３、３１４４、３１４５、３１４６として示される）は、１以上のウェイトポート２８００から周縁に向かって、及び／又はボディ部２３１０のスカート部２３９０に向かって延びてもよい。図３１に示す一例では、第２セットの内側支持部３１４０の各内側支持部は、ウェイトポート２８００の対応するウェイトポートから、トウ部、トウ部とヒール部、リア部、ヒール部とリア部、ヒール部のそれぞれに延びるように示されている。内側支持部３１４１、３１４２、３１４３、３１４４、３１４５、及び／又は３１４６が、ボトム部２３４０、スカート部２３９０、トウ部２３５０、ヒール部２３８０、フロント部２３７０、及び／又はリア部２３８０の構造的支持を提供するように、又は実質的に提供するように、内側支持部３１４１、３１４２、３１４３、３１４４、３１４５、及び／又は３１４６の各々の長さ、高さ、厚さ、配向角度、及び／又は断面構造を構成することができる。本明細書に記載の装置、方法、及び製造物は、これに限定されない。本明細書に記載の装置、方法、及び製造物は、これに限定されない。
【０１００】
第１セットの内側支持部３１２０は、ゴルフクラブヘッド２３００がゴルフボール（不図示）を打つときに、ボトム部２３４０に与えられる衝撃荷重をボトム部２３４０に分散させることによって、ボトム部２３４０を構造的に支持することができる。第２セットの内側支持部３１４０は、加重衝撃をボトム部２３４０、スカート部２３９０、トウ部２３５０、ヒール部２３６０、フロント部２３７０、及び／又はリア部２３８０に更に分散させることができる。一例では、第２セットの内側支持部３１４０は、加重衝撃をボディ部２３１０に更に分散するように、ウェイトポート２８４０、２８５０、２８６０などの任意のウェイトポートに接続される追加の壁、リブ、及び／又は突出部（不図示）を含んでもよい。上記の例は、特定の数の内側支持部を示しているが、ボトム部２３４０は、追加の内側支持部（不図示）を含んでもよい。例えば、ボトム部２３４０は、隣接しないウェイトポート２８００（例えば、ウェイトポート２８１５と２８６０）及び／又は第２セットの内側支持部３１４０を接続する複数の内側支持部（不図示）を含んでもよい。本明細書に記載の装置、方法、及び製造物は、これに限定されない。
【０１０１】
第１セットの内側支持部３１２０及び／又は第２セットの内側支持部３１４０の内側支持部の幅（すなわち、厚さ）、長さ、高さ、配向角度、及び／又は断面構造は、同様でもよく、変化してもよく、ゴルフクラブヘッド２３００の構造的支持を提供するように構成されてもよい。例えば、ボトム部２３４０及び／又はボディ部２３１０を構成する材料は、第１セットの内側支持部３１２０及び／又は第２セットの内側支持部３１４０の内側支持部の幅、長さ、高さ、配向角度、及び／又は断面構造を決定し得る。例えば、第１セットの内側支持部３１２０及び／又は第２セットの内側支持部３１４０の内側支持部は、ウェイトポート２８００の深さと同様の高さを持つ矩形断面の壁によって画定されてもよい。第２セットの内側支持部３１４０の各内側支持部の長さは、第２セットの内側支持部の１以上の内側支持部がボトム部２３４０からスカート部２３９０まで延びるように構成されてもよい。本明細書に記載の装置、方法、及び製造物は、これに限定されない。
【０１０２】
本明細書に記載の任意のゴルフクラブヘッドは、ゴルフクラブヘッドの任意の部分及び／又は部品のサイズ、厚さ、構成材料、及び／又は他の特性に応じてゴルフボールとの衝突中にゴルフクラブヘッドに構造的支持を提供するように、外側支持部及び／又は内側支持部は異なる構成を有してもよい。外側支持部及び／又は内側支持部の異なる構成は、ゴルフボールを打つときのゴルフクラブヘッドの振動、減衰、及び／又はノイズ特性に影響し得る。更に、外側支持部及び／又は内側支持部の異なる構成は、追加の構造的支持を必要とするゴルフクラブヘッドの部分に構造的支持を提供し得る。例えば、本明細書に記載のゴルフクラブヘッドは、本明細書に記載の第１セットの内側支持部及び第２セットの内側支持部に追加してより多くの内側支持部を含んでもよい。例えば、本明細書に記載のゴルフクラブヘッドは、本明細書に記載の第１セットの内側支持部及び第２セットの内側支持部より少ない内側支持部を含んでもよい。
【０１０３】
図３３、３４は、内側支持部の構成が異なる別のゴルフクラブヘッド２３００の例を示してある。ボトム部２３４０の内側面２３４４は、第１セットの内側支持部３３２０（概して内側支持部３３２３、３３２４、３３２５、３３２６、３３２７として示される）及び第２セットの内側支持部３３４０（概して内側支持部３３４４、３３４５、３３４６、３３４７、３３４８として示される）を含んでもよい。第１セットの内側支持部３３２０及び第２セットの内側支持部３３４０は、トウ部２３５０よりもヒール部２３６０に近い。例えば、第１セットの内側支持部３３２０及び第２セットの内側支持部３３４０は、ボディ部２３１０の中間点（不図示）とヒール部２３６０との間のボトム部２３４０に配置されてもよい。本明細書に記載の装置、方法、及び製造物は、これに限定されない。
【０１０４】
第１セットの内側支持部３３２０は、図３１に示す第１セットの内側支持部３１２０の内側支持部のような本明細書に記載の任意の内側支持部と多くの点で類似してもよい。第１セットの内側支持部３３２０の内側支持部３３２３〜３３２７は、ボトム部２３４０の内側面２３４４にループ状支持領域３３５０を画定することができる。ループ状支持領域３３５０は、トウ部２３５０よりもヒール部２３６０に近くてもよい。ループ状支持領域３３５０は、ボディ部２３１０の中間点（不図示）とヒール部２３６０との間に配置されてもよい。本明細書に記載の装置、方法、及び製造物は、これに限定されない。
【０１０５】
第２セットの内側支持部３３４０は、図３１に示す第２セットの内側支持部３１４０のような本明細書に記載の任意の内側支持部と多くの点で類似してもよい。図３３、３４に示すように、例えば、内側支持部３３４４、３３４５、３３４６、３３４７、３３４８は、ウェイトポート２８５０、２８４５、２８４０、２８２０、２８１５のそれぞれと接続され、対応するウェイトポートからボトム部２３４０の周縁に向かって、及び／又は周縁まで外側へ延びる壁部を含んでもよい。内側支持部３３４４、３３４５、３３４６、３３４７、３３４８が、ボトム部２３４０、スカート部２３９０、ヒール部２３６０、フロント部２３７０、及び／又はリア部２３８０の構造的支持を提供するように、又は実質的に提供するように、内側支持部３３４４、３３４５、３３４６、３３４７、３３４８の各々の長さ、高さ、厚さ、配向角度、及び／又は断面構造を構成することができる。本明細書に記載の装置、方法、及び製造物は、これに限定されない。
【０１０６】
図３５は、内側支持部の構成が異なる別のゴルフクラブヘッド２３００の例を示してある。内側面２３４４は、第１セットの内側支持部３１２０（概して内側支持部３１２１、３１２２、３１２３、３１２４、３１２５、３１２６、３１２７、３１２８、３１２９、３１３０、３１３１として示される）及び第２セットの内側支持部３１４０（概して内側支持部３１４１、３１４２、３１４３、３１４４、３１４５、３１４６として示される）を含んでもよい。従って、図４３のゴルフクラブヘッド２３００は、図４３のゴルフクラブヘッド２３００が内側支持部３１３２、３１３３を含まないことを除いて、図３１のゴルフクラブヘッド２３００と類似してもよい。本明細書に記載の装置、方法、及び製造物は、これに限定されない。
【０１０７】
本明細書に記載の任意のゴルフクラブヘッドは、本明細書に記載の任意のゴルフクラブヘッドの外側支持部及び／又は内側支持部の構成の相違に加えて、外側支持部及び／又は内側支持部の構成の相違と組み合わせてウェイト部の構成を異ならせてもよい。ウェイトポートの構成の相違は、ゴルフクラブヘッドの重量分布に影響を及ぼし得る。外側支持部及び／又は内側支持部の構成の相違は、ゴルフボールを打つときのゴルフクラブヘッドの剛性、振動、減衰、及び／又はノイズ特性に影響を及ぼし得る。更に、外側支持部及び／又は内側支持部の構成の相違は、追加の構造的支持を必要とするゴルフクラブヘッドの部分に構造的支持を提供することができる。例えば、本明細書に記載のゴルフクラブヘッドは、本明細書に記載した幾つかの例示的なゴルフクラブヘッドより多い又は少ないウェイトポートを含んでもよい。例えば、本明細書に記載のゴルフクラブヘッドは、本明細書に記載の第１セットの内側支持部及び第２セットの内側支持部に追加してより多くの内側支持部を含んでもよい。例えば、本明細書に記載のゴルフクラブヘッドは、本明細書に記載の第１セットの内側支持部及び第２セットの内側支持部より少ない内側支持部を含んでもよい。本明細書に記載の装置、方法、及び製造物は、これに限定されない。
【０１０８】
図３６は、ウェイトポートの配置が異なると共に内側支持部の構成が異なる別のゴルフクラブヘッド２３００の例を示してある。ボトム部２３４０は、概して２８０５、２８１０、２８１５、２８２０、２８４５、２８５０、２８５５、２８６０、２８６５として示される、複数のウェイトポート２８００を含んでもよい。従って、図３６のゴルフクラブヘッド２３００は、図３６のゴルフクラブヘッド２３００がウェイトポート２８４０、２８７０を含まないことを除いて、図３１のゴルフクラブヘッド２３００と類似してもよい。また、図３６の例では、ボトム部２３４０の内側面２３４４は、第１セットの内側支持部３１２０（概して内側支持部３１２１、３１２２、３１２３、３１２６、３１２７、３１２８、３１２９として示される）及び第２セットの内側支持部３１４０（概して内側支持部３１４１、３１４３、３１４４、３１４５、３１４６として示される）を含んでもよい。従って、図３６のゴルフクラブヘッド２３００は、図３６のゴルフクラブヘッド２３００が内側支持部３１２４、３１２５、３１３０、３１３１、３１３２、３１３３、３１４２を含まないことを除いて、図３１のゴルフクラブヘッド２３００と類似してもよい。本明細書に記載の装置、方法、及び製造物は、これに限定されない。
【０１０９】
図３７に示す一例では、ゴルフクラブヘッド２３００のボディ部２３１０の内部の特定領域は、本明細書において充填材料と称される、弾性ポリマー材料又はエラストマー材料を含んでもよい。充填材料は、ゴルフボール（不図示）を打つときのゴルフクラブヘッド２３００の振動を減衰し、ノイズを減衰し、重心を下げ、及び／又は良好な感触及び音を提供し得る。一例によれば、三角形支持領域３１６０は、充填材料で充填されてもよい。別の例によれば、内側支持部３１２８、３１２９、３１３０、３１３１、３１３２によって画定される支持領域３１６１と、内側支持部３１２４、３１２５、３１３６、３１３７、３１３３によって画定される支持領域３１６２は、充填材料で充填されてもよい。充填材料は、ボトム部２３４０の内側面２３４４から支持領域３１６０、３１６１及び／又は３１６２を画定し得るいずれかの内側支持部の高さまで設けられてもよい。また一方、充填材料は、いずれかの内側支持部の高さより下側または上側まで設けられてもよい。更に、充填材料がボトム部２３４０の内側面２３４４から延在する距離として定義される、充填材料の厚さは、変化してもよく、支持領域３１６０、３１６１及び／又は３１６２によって変化してもよい。本明細書に記載の装置、方法、及び製造物は、これに限定されない。
【０１１０】
図３３に示すゴルフクラブヘッド２３００と多くの点で類似する図３８に示す一例では、支持領域３３５０は、充填材料を含んでもよい。上述した弾性ポリマー材料又はエラストマー材料であり得る充填材料は、ボトム部２３４０の内側面２３４４から内側支持部３３２３、３３２４、３３２５、３３２６及び／又は３３４７のいずれかの高さまで設けられてもよい。充填材料は、ゴルフボール（不図示）を打つときのゴルフクラブヘッド２３００の振動を減衰し、ノイズを減衰し、重心を下げ、及び／又は良好な感触及び音を提供し得る。本明細書に記載の装置、方法、及び製造物は、これに限定されない。
【０１１１】
本明細書に記載の任意のゴルフクラブヘッドは、上述した充填材料を含み得る１以上の内部領域を有してもよい。一例では、ゴルフクラブヘッドの領域をカバー又は充填するように、ゴルフクラブヘッドの１以上のポートから該領域に注入されてもよい。充填材料の注入に使用される１以上のポートは、本明細書に記載のウェイトポートの１以上であってもよい。従って、充填材料は、充填材料を注入してカバー又は充填される領域の形状に成形されてもよい。あるいは、１つ以上の挿入物を弾性ポリマー材料又はエラストマー材料（すなわち、充填材料）から形成して、ゴルフクラブヘッドの内部の１以上の領域に配置してもよい。図３９は、弾性ポリマー材料又はエラストマー材料から構成され得る挿入物３９５０を有する図３６のゴルフクラブヘッド２３００の例を示している。挿入物３９５０は、ボトム部２３４０の内側面２３４４の領域３９５４の形状と同様の形状を有するように製造されてもよい。従って、挿入物３９５０は、概ね平坦になってボトム部２３４０の内側面２３４４に接触するように、領域３９５４でのボトム部２３４０の曲率と同様の曲率であってもよく、領域３９５４に挿入されて領域３９５４内に概ねフィットするように、領域３９５４の形状と同様の形状であってもよく、及び／又は、ウェイトポート２８００の各々の側壁部の形状及び／又は輪郭に概ねマッチするように、複数の切欠き部３９５６を有してもよい。本明細書に記載の装置、方法、及び製造物は、これに限定されない。
【０１１２】
挿入物３９５０は、いずれかのウェイトポート２８００の高さと同様な厚さを有してもよい。従って、挿入物３９５０を領域３９５４に入れた場合に、ウェイトポート２８００又はその近傍の挿入物３９５０のトップ部は、ウェイトポート２８００と同じ高さ、又は実質的に同じ高さとなり得る。また一方で、挿入物３９５０の厚さは、一定でもよく、挿入物３９５０の任意の位置での挿入物３９５０の厚さが任意のウェイトポート２８００の高さより大きく又は小さくなるように変化してもよい。挿入物３９５０は、ゴルフボール（不図示）を打つときの図３９のゴルフクラブヘッド２３００の振動を減衰し、ノイズを減衰し、重心を下げ、及び／又は良好な感触及び音を提供し得る。本明細書に記載の装置、方法、及び製造物は、これに限定されない。
【０１１３】
挿入物３９５０は、本明細書に記載の任意のゴルフクラブヘッドで使用するために製造されてもよい。図３９に示すように、挿入物３９５０は、ウェイトポート２８００の外側壁部の形状に概ねマッチする複数の切欠き部３９５６を含んでもよい。図３９に示す挿入物３９５０は、切欠き部３９５８、３９５９を更に含んでいる。図３５を再び参照すると、図３５のゴルフクラブヘッド２３００に挿入物３９５０を使用する場合に、切欠き部３９５８、３９５９は、それぞれ、ウェイトポート２８７０、２８４０の外側壁部の形状と概ねマッチし得る。従って、挿入物３９５０は、図３５のゴルフクラブヘッド２３００と図３６のゴルフクラブヘッド２３００の両方に使用することができる。本明細書に記載の装置、方法、及び製造物は、これに限定されない。
【０１１４】
図３１を再び参照すると、挿入物３９５０は、内側支持部３２３１、３１３３をその中に受け入れる大きさ及び形状のチャネル、溝又はスロット（不図示）を含んでもよい。従って、挿入物３９５０は、図３１、３３、３５、３６のゴルフクラブヘッド２３００に使用するために、上述したチャネル、溝又はスロットを設けて製造されてもよい。あるいは、本明細書に記載のゴルフクラブヘッドの１つのみにフィットする１以上の挿入物が製造されてもよい。例えば、本明細書に記載のゴルフクラブヘッドの各々は、ゴルフクラブヘッド内の１以上の領域にのみフィットする特定形状を持つ１以上の挿入物を含んでもよい。図３１を再び参照すると、例えば、ゴルフクラブヘッド２３００は、支持領域３１６１にフィットする第１の挿入物（不図示）と、三角形支持領域３１６０にフィットする第２の挿入物（不図示）と、支持領域３１６２にフィットする第３の挿入物（不図示）とを含んでもよい。図３３を再び参照すると、例えば、ゴルフクラブヘッド３３００は、支持領域３３５０にフィットする挿入物（不図示）を含んでもよい。本明細書に記載の装置、方法、及び製造物は、これに限定されない。
【０１１５】
本明細書に記載の任意の挿入物は、一体的な連続部品として弾性ポリマー材料から製造することができる。図３９の例では、挿入物３９５０は、任意の凹部及び／又は穴部がない一体的な連続部品であってもよい。図４０は、挿入物３９５０と多くの点で類似し得る挿入物４０５０を示している。従って、一例では、挿入物４０５０は、図３９のゴルフクラブヘッド２３００のボトム部２３４０の内側面２３４４の領域３９５４の形状と同様の形状を有するように製造されてもよく、本明細書に記載の切欠き部３９５６、３９５８、３９５９と同様な複数の切欠き部４０５６を更に含んでもよい。挿入物４０５０は、挿入物４０５０の重量及び／又は挿入物４０５０の構造に使用される材料の量を減らす複数の穴部４０６２を更に含んでもよい。挿入物４０５０は、挿入物４０５０に任意の構成で配置された任意の数の穴部４０６２を含んでもよい。図４０の例では、挿入物４０５０は、挿入物４０５０の厚さを貫通すると共にハニカムパターンと同様なパターンを画定するように挿入物４０５０に配置された複数の六角形穴部４０６２を含んでもよい。穴部４０６２は、任意の形状又は間隔を有してもよい。上記の例は、特定の形状を有する穴部を説明したが、本明細書に記載の装置、方法、及び製造物は、他の適切な形状（例えば、円形、三角形、八角形、又は他の適切な幾何学形状）の穴部を含んでもよい。更に、穴部４０６２は、形状、サイズ及び／又は挿入物４０５０上の配置が類似してもよく、異なってもよい。一例では、挿入物４０５０は、複数の丸穴部（不図示）を含んでもよい。別の例では、挿入物４０５０は、複数のスロット、溝及び／又はスリット（不図示）を含んでもよい。更に別の例では、挿入物４０５０は、挿入物４０５０を貫通しない凹部（不図示）を含んでもよい。本明細書に記載の装置、方法、及び製造物は、これに限定されない。
【０１１６】
本明細書に記載の任意の充填材料及び／又は挿入物は、衝撃を吸収し、振動を分離し、及び／又はノイズを減衰するように、ポリマー材料、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料であってもよい。別の例では、充填材料は、高密度エチレン共重合体アイオノマー、脂肪酸変成エチレン共重合体アイオノマー、高非晶質エチレン共重合体アイオノマー、エチレン酸アクリレート三元共重合体のアイオノマー、マグネシウムアイオノマーを含むエチレン共重合体、様々な形状を作り出す従来の射出成形装置で使用される射出成型可能なエチレン共重合体、様々な形状を作り出す従来の押出し装置で使用できるエチレン共重合体、及び／又は熱硬化性ポリブタジエンゴムに類似した高圧縮性及び低反発性のエチレン共重合体であってもよい。例えば、エチレン共重合体は、デラウェア州、ウィルミントンのＥ．Ｉ．ｄｕ  Ｐｏｎｔ  ｄｅ  Ｎｅｍｏｕｒｓ  ａｎｄ  Ｃｏｍｐａｎｙ社製の、ＤｕＰｏｎｔ（商標）高性能樹脂（ＨＰＦ）ファミリーの材料（例えば、ＤｕＰｏｎｔ（商標）ＨＰＦ  ＡＤ１１７２、ＤｕＰｏｎｔ（商標）  ＨＰＦ  ＡＤ１０３５、ＤｕＰｏｎｔ（登録商標）  ＨＰＦ  １０００、及びＤｕＰｏｎｔ（商標）  ＨＰＦ  ２０００）に関連するエチレン共重合体のいずれかを含んでもよい。エチレン共重合体のＤｕＰｏｎｔ（商標）ファミリーは、射出成型可能であり、低圧縮性及び高反発力を提供する従来の射出成形装置及び型を使用することができる。本明細書に記載の装置、方法、及び製造物は、これに限定されない。
【０１１７】
本明細書に記載の充填材料から製造され得る任意の挿入物を含む充填材料は、本明細書に記載の任意のゴルフクラブヘッドのボディ部と充填材料との間の接着力の改善及び／又は層間剥離の軽減のために、結合部（不図示）によって本明細書に記載の任意のゴルフクラブヘッドに結合、連結及び／又は接続されてもよい。結合部は、結合剤、エポキシ樹脂、結合剤の組み合わせ、結合構造又は連結具、結合構造及び／又は連結具の組み合わせ、及び／又は、１以上の結合剤と１以上の結合構造及び／又は１以上の連結具との組み合わせであってもよい。一例では、結合部は、ミシガン州、オーバーンヒルズ、Ｄｏｗ  Ｃｈｅｍｉｃａｌ  Ｃｏｍｐａｎｙ社製の材料であるＭＥＧＵＭ（商標）、ＲＯＢＯＮＤ（商標）、及び／又はＴＨＩＸＯＮ（商標）のような、低粘度有機溶剤型の溶液及び／又はポリマーと他の反応性化学物質の分散液であってもよい。別の例では、結合部は、コネチカット州、ロッキーヒル、Ｈｅｎｋｅｌ  Ｃｏｒｐｏｒａｔｉｏｎ社製のＬＯＣＴＩＴＥ（登録商標）であってもよい。本明細書に記載の装置、方法、及び製造物は、これに限定されない。
【０１１８】
図４１〜４７の例では、ゴルフクラブヘッド４１００は、トップ部４１３０と、ボトム部４１４０と、トウ部４１５０と、ヒール部４１６０と、フロント部４１７０と、リア部４１８０とを持つボディ部４１１０を含んでもよい。ボトム部４１４０は、トップ部４１３０とボトム部４１４０との間に、フロント部４１７０を除き、トウ部４１５０からリア部４１８０を回ってヒール部４１６０に至るゴルフクラブヘッド４１００の周囲を横断して設けられる、ゴルフクラブヘッド４１００のサイド部として規定されたスカート部（不図示）を含んでもよい。ボトム部４１４０は、推移領域４２３０とウェイトポート領域４２４０とを含んでもよい。推移領域４２３０は、ボトム部４１４０の溝又はチャネルによって画定されてもよい。更に、推移領域４２３０は、ウェイトポート領域４２４０の境界を画定してもよい。フロント部４１７０は、ゴルフボール（不図示）に対するフェース部４１７５を含んでもよい。ボディ部４１１０はまた、本明細書に記載の任意のホーゼル部と多くの点で類似し得るホーゼル部４１６５を含んでもよい。あるいは、ボディ部４１１０は、ホーゼル部４１６５に代えてボア（不図示）を含んでもよい。ボディ部４１１０は、本明細書に記載の任意の材料から、部分的に又は完全に作製されてもよい。更に、ゴルフクラブヘッド４１００は、本明細書に記載の任意のゴルフクラブヘッドのクラブヘッド体積と同様なクラブヘッド体積を有する任意のタイプのゴルフクラブヘッドであってもよい。本明細書に記載の装置、方法、及び製造物は、これに限定されない。
【０１１９】
ボディ部４１１０は、概して第１セットのウェイト部４２１０（概してウェイト部４４０５、４４１０、４４１５、４４２０、４４２５として示される）及び第２セットのウェイト部４２２０（概してウェイト部４４４５、４４５０、４４５５、４４６０、４４６５として示される）として示される、複数のウェイト部４１２０（図４２）を含んでもよい。ウェイトポート領域４２４０は、本明細書に記載の任意のゴルフクラブヘッドのウェイトポート領域と同様の形状を有してもよい。ウェイトポート領域４２４０は、複数のウェイト部４１２０を受けるように、複数のウェイトポート４６００（概して、ウェイトポート４６０５、４６１０、４６１５、４６２０、４６２５、４６４５、４６５０、４６５５、４６６０、４６６５として示される）を含んでもよい。複数のウェイト部４１２０の各ウェイト部及び複数のウェイトポート４６００の各ウェイトポートの特性（例えば、密度、形状、体積、サイズ、色、寸法、深さ、直径、構成材料、質量、形成方法など）、ゴルフクラブヘッド上の位置（例えば、ゴルフクラブヘッドの周縁部に対する位置、及び／又は、ウェイト部及び／又はウェイトポートに対する位置）、及び／又は任意の他の特性は、本明細書に記載の任意のゴルフクラブヘッドの各ウェイト部及びウェイトポートのそれぞれと多くの点で類似してもよい。本明細書に記載の装置、方法、及び製造物は、これに限定されない。
【０１２０】
ボトム部４１４０の外側面４１４２及び／又は内側面４１４４は、本明細書に記載に任意の外側部又は内側部と同様な１つ又は複数の支持部を含んでもよい。外側面４１４２は、少なくとも１つの外側支持部４３１０を含んでもよい。外側支持部４３１０は、その機能を含めて、ゴルフクラブヘッド２３００の外側支持部３３１０と多くの点で類似してもよい。本明細書に記載の装置、方法、及び製造物は、これに限定されない。
【０１２１】
内側面４１４４は、本明細書では内側壁部４３２０とも称される、内側支持部４３２０を含んでもよい。内側支持部４３２０は、壁、リブ、及び／又はボトム部４１４０の内側面４１４４からの任意の突出部を含んでもよい。内側支持部４３２０は、ウェイトポート４６００を部分的に又は完全に囲むように、ウェイトポート４６００の幾つか又は全ての周囲に設けられてもよい。図４１〜４６の例では、内側支持部４３２０は、ウェイトポート４６００を完全に取り囲んでいる。従って、内側支持部４３２０は、ボトム部４１４０の内側面４１４４の内側ポート領域４３２５を画定してもよい。内側支持部４３２０は、ゴルフクラブヘッド４１００がゴルフボール（不図示）を打つときに、ボトム部４１４０に与えられる衝撃荷重をボトム部４１４０に分散させることによって、ボトム部４１４０を構造的に支持することができる。上記の例は特定の内側支持部を示しているが、ボトム部４１４０は、追加の内側支持部及び／又は任意のタイプの支持部（不図示）を含んでもよい。本明細書に記載の装置、方法、及び製造物は、これに限定されない。
【０１２２】
内側支持部４３２０の幅（すなわち、厚さ）、長さ、高さ、配向角度、及び／又は断面構造は、同様でもよく、内側支持部４３２０の長さに沿って変化してもよく、ゴルフクラブヘッド４１００の構造的支持を提供するように構成されてもよい。例えば、ボディ部４１１０及び／又はボトム部４１４０を構成する材料を含むボディ部４１１０及び／又はボトム部４１４０の特性は、内側支持部４３２０の長さに沿って内側支持部４３２０の幅、長さ、高さ、配向角度、及び／又は断面形状を決定し得る。一例では、内側支持部４３２０は、ウェイト部４６００の深さと同様の高さを持つ壁によって画定されてもよい。別の例では、内側支持部４３２０は、ウェイトポート４６００の深さより大きい高さを持つ壁によって画定されてもよい。更に別の例では、内側支持部４３２０は、ウェイトポート４６００の深さより小さい高さを持つ壁によって画定されてもよい。本明細書に記載の装置、方法、及び製造物は、これに限定されない。
【０１２３】
図４５に示す一例では、ゴルフクラブヘッド４１００のボディ部４１１０の内部の特定領域は、本明細書では充填材料４５１０とも称される、ポリマー材料、弾性ポリマー材料又はエラストマー材料を含んでもよい。充填材料４５１０は、ゴルフボール（不図示）を打つときのゴルフクラブヘッド４１００の振動を減衰し、ノイズを減衰し、重心を下げ、及び／又は良好な感触及び音を提供し得る。一例によれば、ボトム部４１４０の内側面４１４４と内側支持部４３２０によって画定される内側ポート領域４３２５は、充填材料４５１０を部分的に又は完全に含んでもよい。充填材料４５１０は、内側支持部４３２０の任意の位置でボトム部４１４０の内側面４１４４から内側支持部４３２０の高さまで設けられてもよい。また一方、充填材料４５１０は、内側支持部４３２０の任意の位置で内側支持部４３２０より下側または上側まで設けられてもよい。従って、内側支持部４３２０の高さがウェイトポート４６００の深さ以上の場合、ウェイトポート４６００は、それぞれ、ゴルフボール（不図示）を打つときのゴルフクラブヘッド４１００の振動を減衰し、ノイズを減衰し、及び／又は良好な感触及び音を提供する充填材料４５１０によって、取り囲まれ及び／又はカバーされる。内側ポート領域４３２５内の充填材料４５１０の高さ又は厚さは、一定でもよく、変化してもよい。本明細書に記載の装置、方法、及び製造物は、これに限定されない。
【０１２４】
ゴルフクラブヘッド４１００を含む、本明細書に記載の任意のゴルフクラブヘッドは、本明細書に記載の充填材料を含み得る１以上の内部領域を有してもよい。一例では、充填材料４５１０は、ウェイトポート４６００の１以上からボディ部４１１０の内部ポート領域４３２５に注入されてもよい。図４１〜４６の例では、ウェイトポート４６１５、４６５５の各々は、内部ポート領域４３２５又はボディ部４１１０の内部に、それぞれ、開口部４６１６、４６５６を含んでもよい。従って、開口部４６１６、４６５６は、内部ポート領域４３２５に充填材料４５１０を注入するために使用されてもよい。一例では、開口部４６１６又は４６５６の１つが、内部ポート領域４３２５に充填材料４５１０を注入するために使用される一方で、開口部４６１６、４６５６の他方が、ボディ部４１１０に注入された充填材料によって置換された空気を排出するために使用されてもよい。内側支持部４３２０は、ボディ部４１１０に充填材料４５１０が注入されたときに、充填材料４５１０の境界又は外周保持を提供してもよい。充填材料４５１０は、充填材料４５１０の高さが内側支持部４３２０の高さと同様か、実質的に同様か、又はそれ以上になるまで、内側ポート領域４３２０に注入されてもよい。従って、充填材料は、内側ポート領域４３２５の形状に成形されてもよい。あるいは、内側ポート領域４３２０は、充填材料４５１０で部分的に充填されてもよい。本明細書に記載の装置、方法、及び製造物は、これに限定されない。
【０１２５】
あるいは、１以上の挿入物は、弾性ポリマー材料又はエラストマー材料（例えば、充填材料）から形成されて、ゴルフクラブヘッドの内部の１以上の領域に配置されてもよい。図４６は、弾性ポリマー材料又はエラストマー材料から構成され得る挿入物４７５０を有する図４１のゴルフクラブヘッド４１００の例を示している。挿入物４７５０は、内部ポート領域４３２５の形状と同様な形状を有するように製造されてもよい。従って、挿入物４７５０は、概ね平坦になってボトム部４１４０の内側面４１４４に接触するように、内部ポート領域４３２５でのボトム部４１４０の曲率と同様の曲率であってもよい。挿入物４７５０は、内部ポート領域４３２５に挿入されて内部ポート領域４３２５内に概ねフィットするように、内部ポート領域４３２５の形状と同様の形状であってもよい。更に、挿入物４７５０は、内側支持部４３２０に取り囲まれ及び／又は接触してもよい。内側支持部４３２０は、内部ポート領域４３２５に挿入物を維持することを支援するように、又は内部ポート領域４３２５に挿入物を維持するように、挿入物４７５０の外周の全部又は一部と係合してもよい。挿入物４７５０は、ウェイトポート４６００の各々の側壁部の形状及び／又は輪郭に概ねマッチするように、複数の切欠き部４７５６を有してもよい。従って、挿入物４７５０を内部ポート領域４３２５に配置した場合に、複数のウェイトポート４６００の各ポートは、対応する切欠き部４７５６に受け入れられる。本明細書に記載の装置、方法、及び製造物は、これに限定されない。
【０１２６】
挿入物４７５０は、任意のウェイトポート４６００の高さと同様、又は実質的に同様な厚さを有してもよい。従って、挿入物４７５０が内部ポート領域４３２５に入れた場合に、ウェイトポート４６００又はその近傍の挿入物４７５０のトップ部は、ウェイトポート４６００と同じ高さ、又は実質的に同じ高さとなり得る。また一方で、挿入物４７５０の厚さは、挿入物４７５０の任意の位置での挿入物４７５０の厚さが任意のウェイトポート４６００の高さより大きく又は小さくなるように変化してもよい。挿入物４７５０は、ゴルフボール（不図示）を打つときのゴルフクラブヘッド４１００の振動を減衰し、ノイズを減衰し、重心を下げ、及び／又は良好な感触及び音を提供し得る。本明細書に記載の装置、方法、及び製造物は、これに限定されない。
【０１２７】
本明細書に記載の任意の挿入物は、一体的な連続部品として弾性ポリマー材料から製造することができる。挿入物４７５０は、任意の凹部及び／又は穴部がない一体的な連続部品であってもよい。図４７に示す例によれば、挿入物４７５０は、挿入物４７５０の重量を減らす複数の穴部４７６２を含んでもよい。挿入物４７５０は、挿入物４７５０に任意の構成で配置された任意の数の穴部を含んでもよい。図４７の例では、挿入物４７５０は、挿入物４７５０の厚さを貫通すると共にハニカムパターンと同様なパターンを画定するように挿入物４７５０に配置された複数の六角形穴部４７６２を含んでもよい。穴部４７６２は、任意の形状又は間隔を有してもよい。図４８の例では、挿入物４７５０はまた、図４７の例と同様な六角形穴部４７６２であり得る複数の穴部と、六角形穴部４７６２又は切欠き部４７５６より大きい中央穴部４８６２とを含んでもよい。中央穴部４８６２は、任意のサイズ、形状又は配置を有してもよい。図４８の例では、中央穴部４８６２は、挿入物４７５０の外周形状に概ね類似する形状を有する。挿入物４７５０は、中央穴部４８６２、六角形穴部４７６２及び／又は切欠き部４７５６より大きい又は小さい任意の数の穴部を含んでもよい。上記の例は、特定の形状を有する穴部を説明したが、本明細書に記載の装置、方法、及び製造物は、他の適切な形状（例えば、円形、三角形、八角形、又は他の適切な幾何学形状）の穴部を含んでもよい。更に、開口部は、形状、サイズ及び／又は挿入物４７５０上の配置が類似してもよく、異なってもよい。一例では、挿入物４７５０は、複数の丸穴部（不図示）を含んでもよい。別の例では、挿入物４７５０は、複数のスロット、溝及び／又はスリット（不図示）を含んでもよい。更に別の例では、挿入物４７５０は、挿入物４７５０を貫通しない凹部（不図示）を含んでもよい。本明細書に記載の装置、方法、及び製造物は、これに限定されない。
【０１２８】
充填材料４５１０及び／又は挿入物４７５０は、本明細書に記載の任意の材料で製造されてもよい。充填材料４５１０又は挿入物４７５０は、ゴルフクラブヘッド４１００のボディ部４１１０と充填材料４５１０又は挿入物４７５０との間の接着力の改善及び／又は層間剥離の軽減のために、結合部（不図示）によってボディ部４１１０に結合、連結及び／又は接続されてもよい。更に、本明細書に記載のように、内側支持部４３２０は、内側ポート領域４３２５に挿入物４７５０を部分的に又は完全に維持するように、挿入物４７５０と係合してもよい。一例では、挿入物４７５０は、挿入物４７５０は、内側支持部４３２０の摩擦係合により、及び／又は挿入物４７５０を内側支持部４３２０及び／又はボトム部４１４０の内側面４１４４に結合する結合部により、内部ポート領域４３２５に維持されてもよい。結合部は、結合剤、エポキシ樹脂、結合剤の組み合わせ、結合構造又は連結具、結合構造及び／又は連結具の組み合わせ、及び／又は、１以上の結合剤と１以上の結合構造及び／又は１以上の連結具との組み合わせのように、本明細書に記載の任意の結合部であってもよい。本明細書に記載の装置、方法、及び製造物は、これに限定されない。
【０１２９】
図５０〜５４の例では、ゴルフクラブヘッド４９００は、トップ部４９３０と、ボトム部４９４０と、トウ部４９５０と、ヒール部４９６０と、フロント部４９７０と、リア部４９８０とを有するボディ部４９１０を含んでもよい。ボトム部４９４０は、トップ部４９３０とボトム部４９４０との間に、フロント部４９７０を除き、トウ部４９５０からリア部４９７０を回ってヒール部４９６０に至るゴルフクラブヘッド４９００の周囲を横断して設けられる、ゴルフクラブヘッド４９００のサイド部として規定されたスカート部（不図示）を含んでもよい。ボトム部４９４０は、１以上のウェイトポート領域を含んでもよい。例えば、ボトム部４９４０は、第１のウェイトポート領域５０４０と、第２のウェイトポート領域５０５０とを含んでもよい。フロント部４９７０は、ゴルフボール（不図示）に対するフェース部４９７５を含んでもよい。ボディ部４９１０はまた、本明細書に記載の任意のホーゼル部と多くの点で類似し得るホーゼル部４９６５を含んでもよい。あるいは、ボディ部４９１０は、ホーゼル部４９６５に代えてボア（不図示）を含んでもよい。ボディ部４９１０は、本明細書に記載の任意の材料から、部分的に又は完全に作製されてもよい。更に、ゴルフクラブヘッド４９００は、本明細書に記載の任意のゴルフクラブヘッドのクラブヘッド体積と同様なクラブヘッド体積を有する任意のタイプのゴルフクラブヘッドであってもよい。本明細書に記載の装置、方法、及び製造物は、これに限定されない。
【０１３０】
ボディ部４９１０は、概して第１セットのウェイト部５０１０（概してウェイト部５２０５、５２１０、５２１５として示される）及び第２セットのウェイト部５０２０（概してウェイト部５２４５、５２５０、５２５５として示される）として示される、複数のウェイト部を含んでもよい。第１のウェイトポート領域５０４０は、複数のウェイトポート（概して、５４０５、５４１０、５４１５として示される）を含んでもよく、第２のウェイトポート領域５０５０は、複数のウェイトポート（概して５４４５、５４５０、５４５５として示される）を含んでもよい。第１のウェイトポート領域５０４０及び第２のウェイトポート領域５０５０の各ウェイトポートは、第１のウェイト部５０１０又は第２のウェイト部５０２０のウェイト部を受けてもよい。複数のウェイト部の各ウェイト部の特性（例えば、密度、形状、体積、サイズ、色、寸法、深さ、直径、構成材料、質量、形成方法など）及び／又は任意の他の特性は、本明細書に記載の任意のゴルフクラブヘッドの各ウェイト部と多くの点で類似してもよい。本明細書に記載の装置、方法、及び製造物は、これに限定されない。
【０１３１】
第１のウェイトポート領域５０４０は、リア部４９８０又はその近傍のボトム部４９４０に配置されてもよい。第１のウェイトポート領域５０４０の全部又は一部は、図５４に示すようにボディ部４９１０内に突出し、及び／又は図５２に示すようにボトム部４９４０の外側面４９４２から突出するように、ボトム部４９４０の厚さよりも大きい厚さを有してもよい。従って、ボディ部４９１０内に延びる第１のウェイトポート領域５０４０の一部は、ボトム部４９４０の内側面４９４４上に第１の内側支持部５１２０を画定してもよい。第１の内側支持部５１２０は、ボトム部４９４０の内側面４９４４からボディ部４９１０内に突出する内側壁部５１２１を含んでもよい。従って、内側壁部５１２１は、ボディ部４９１０内の第１の内側支持部５１２０の境界を画定してもよい。第１の内側支持部５１２０は、ボディ部４９１０内に延びる第１のウェイトポート領域５０４０の部分の形状に対応する形状を有してもよい。一例では、図５４に示すように、内側壁部５１２１などの第１の内側支持部５１２０の各部は、ウェイトポート５４０５、５４１０、５４１５の境界を画定してもよい。従って、第１の内側支持部５１２０の各部は、ウェイトポート５４０５、５４１０、５４１５の壁部を部分的に画定してもよい。一例では、第１のウェイトポート領域５０４０のウェイトポート５４０５、５４１０、５４１５のみが、本明細書に記載の任意のゴルフクラブヘッドのウェイトポートと同様にボディ部４９１０内に突出してもよい。本明細書に記載の装置、方法、及び製造物は、これに限定されない。
【０１３２】
第２のウェイトポート領域５０５０は、ヒール部４９６０又はその近傍のボトム部４９４０に配置されてもよい。第２のウェイトポート領域５０５０の全部又は一部は、図５４に示すようにボディ部４９１０内に突出し、及び／又はボトム部４９４０の外側面４９４２から突出する（不図示）ように、ボトム部４９４０の厚さよりも大きい厚さを有してもよい。従って、ボディ部４９１０内に延びる第２のウェイトポート領域５０５０の一部は、ボトム部の内側面４９４４上に第２の内側支持部５１２２を画定してもよい。第２の内側支持部５１２２は、ボトム部４９４０の内側面４９４４からボディ部４９１０内に突出する内側壁部５１２３を含んでもよい。従って、内側壁部５１２３は、ボディ部４９１０内の第２の内側支持部５１２２の境界を画定してもよい。第２の内側支持部５１２２は、ボディ部４９１０内に延びる第２のウェイトポート領域５０５０の部分の形状に対応する形状を有してもよい。一例では、図５４に示すように、第２の内側支持部５１２２の各部は、ウェイトポート５４４５、５４５０、５４５５の境界を画定してもよい。従って、第２の内側支持部５１２２の各部は、ウェイトポート５４４５、５４５０、５４５５の壁部を部分的に画定してもよい。一例では、第２のウェイトポート領域５０５０のウェイトポート５４４５、５４５０、５４５５のみが、本明細書に記載の任意のゴルフクラブヘッドのウェイトポートと同様にボディ部４９１０内に突出してもよい。本明細書に記載の装置、方法、及び製造物は、これに限定されない。
【０１３３】
ボディ部４９１０は、ヒール部４９６０からリア部４９８０とトウ部４９５０の間のスカート部（不図示）又はボトム部４９４０の領域まで延びる第３の内側支持部５１２４を含む。第３の内側支持部５１２４は、ボトム部４９４０の内側面４９４４からボディ部４９１０内に突出する壁部によって画定されてもよい。第３の内側支持部５１２４は、任意の形状を有してもよく、ボトム部４９４０の内側面４９４４上の任意の経路を有してもよい。一例では、図５４に示すように、第３の内側支持部５１２４は、第２のウェイトポート領域５０５０とフェース部４９７５の間のヒール部４９６０又はその近傍の位置から、第２のウェイトポート領域５０５０を過ぎて、概ねトウ部４９５０に向かって延びる。その後、第３の内側支持部５１２４は、第２のウェイトポート領域５０５０に対して一定の距離を維持しながら、第１のウェイトポート領域５０４０と第２のウェイトポート領域５０５０の間の位置までリア部４９８０に向かって延びる。その後、第３の内側支持部５１２４は、第１のウェイトポート領域５０４０に対して一定の距離を維持しながら、概ねトウ部４９５０に向かって第１のウェイトポート領域５０４０を過ぎて延びる。その後、第３の内側支持部５１２４は、リア部４９８０とトウ部４９５０の間のボディ部４９１０の位置で、又はその近傍で終端してもよい。第３の内側支持部５１２４と、第２の内側支持部５１２２の内側壁部５１２３と、第１の内側支持部５１２０の内側壁部５１２１と、リア部４９８０との間の間隔は、支持領域５１６０を画定してもよい。図５４に示すように、支持領域５１６０は、第１のウェイトポート領域５０４０と第２のウェイトポート領域５０５０を部分的に取り囲む。内側壁部５１２１、５１２３、５１２４は、本明細書に記載の任意の内側支持部の構成などの、任意の形状及び／又は構成を有してもよい。本明細書に記載の装置、方法、及び製造物は、これに限定されない。
【０１３４】
ボトム部４９４０は、１以上の外側支持部を含んでもよい。一例では、図５３に示すように、ボトム部４９４０は、第１の外側支持部５１７０と、第２の外側支持部５１８０とを含んでもよい。第１の外側支持部５１７０及び第２の外側支持部５１８０の各々は、ボトム部４９４０の外側面４９４２上のチャネル又は溝によって画定されてもよい。第１の外側支持部５１７０は、リア部４９８０よりもフェース部４９７５により近接してもよい。第２の外側支持部５１８０は、フェース部４９７５よりもリア部４９８０により近接してもよい。第１の外側支持部５１７０は、フェース部４９７５と概ね同様の方向に延びるセンター部５１７２を含んでもよい。第１の外側支持部５１７０はまた、センター部５１７２からトウ部４９５０及び／又はリア部４９８０に向かって延びる第１のウイング部５１７４と、センター部５１７２からヒール部４９６０及び／又はリア部４９８０に向かって延びる第２のウイング部５１７６とを含んでもよい。第２の外側支持部５１８０は、フェース部４９７５と概ね同様の方向に延びるセンター部５１８２を含んでもよい。第２の外側支持部５１８０はまた、センター部５１８２からトウ部４９５０及び／又はリア部４９８０に向かって延びる第１のウイング部５１８４と、センター部５１８２からヒール部４９６０及び／又はリア部４９８０に向かって延びる第２のウイング部５１８６とを含んでもよい。ボディ部４９１０の外側支持部は、本明細書に記載の任意の外側支持部の構成などの、任意の形状及び／又は構成を有してもよい。外側支持部５１７０、５１８０は、フェース部４９７５がゴルフボールを打つときにボトム部４９４０に構造的支持を提供するように、本明細書に記載の構成などの任意の構成を有してもよい。更に、外側支持部５１７０、５１８０は、ゴルフクラブヘッド４９００の振動及びノイズの減衰、良好な感触及び音を提供し得る。本明細書に記載の装置、方法、及び製造物は、これに限定されない。
【０１３５】
内側壁部５１２１、５１２３を含む内側支持部５１２０、５１２２及び／又は５１２４の幅（すなわち、厚さ）、長さ、高さ、配向角度、及び／又は断面構造は、同様でもよく、それらの寸法に従って変化してもよく、及び／又はゴルフクラブヘッド４９００の構造的支持を提供するように構成されてもよい。例えば、ボトム部４９４０及び／又はボディ部４９１０を構成し得る材料を含むボディ部４９１０及び／又はボトム部４９４０の特性は、内側壁部５１２１、５１２３を含む内側支持部５１２０、５１２２及び／又は５１２４の幅、長さ、高さ、配向角度、及び／又は断面構造をそれらの任意の寸法に従って決定し得る。一例では、内側支持部５１２０、５１２２、５１２４のいずれか１つ又は複数は、ウェイト部５４０５、５４１０、５４１５、５４４５、５４５０及び／又は５４５５の深さと同様、より大きい、又はより小さい高さを有する壁部によって画定されてもよい。本明細書に記載の装置、方法、及び製造物は、これに限定されない。
【０１３６】
ゴルフクラブヘッド４９００のボディ部４９１０の内部の特定領域は、本明細書では充填材料と称される、ポリマー材料、弾性ポリマー材料又はエラストマー材料を含んでもよい。充填材料は、ゴルフボール（不図示）を打つときのゴルフクラブヘッド４９００の振動を減衰し、ノイズを減衰し、重心を下げ、及び／又は良好な感触及び音を提供し得る。一例によれば、支持領域５１６０は、充填材料を部分的に又は完全に含んでもよい。充填材料は、ボトム部４９４０の内側面４９４４から内側支持部５１２０、５１２２、５１２４のいずれか１つ又は複数の高さまで設けられてもよい。また一方、充填材料は、内側支持部５１２０、５１２２、５１２４のいずれか１つ又は複数より下側または上側まで設けられてもよい。支持領域５１６０内の充填材料の高さ又は厚さは、一定でもよく、本明細書に記載の任意のゴルフクラブヘッドの充填材料と同様に変化してもよい。本明細書に記載の装置、方法、及び製造物は、これに限定されない。
【０１３７】
ゴルフクラブヘッド４９００を含む本明細書に記載の任意のゴルフクラブヘッドは、本明細書に記載の充填材料を含み得る１以上の内部領域を有してもよい。一例では、充填材料は、１以上のウェイトポートからボディ部４９１０の支持領域５１６０に注入されてもよい。図４９〜５４の例では、ウェイトポート５４１０、５４５０の各々は、ボディ部４９１０の内部への開口部５４１１、５４５１をそれぞれ含んでもよい。従って、開口部５４１１、５４５１は、支持領域５１６０内に充填材料を注入するために使用されてもよい。一例では、開口部５４１１又は５４５１の１つが、支持領域５１６０に充填材料４５１０を注入するために使用される一方で、開口部５４１１又は５４５１の他方が、ボディ部４９１０に注入された充填材料によって置換された空気を排出するために使用されてもよい。第１の内側支持領域５１２０、第２の内側支持領域５１２２、第３の内側支持領域５１２４は、ボディ部４９１０に充填材料が注入されたときに、充填材料のために支持領域５１６０の境界又は外周保持を提供してもよい。充填材料は、充填材料の全部又は一部の高さが内側支持部５１２０、５１２２、５１２４のいずれか１つ又は複数の高さと同様、より小さく又はより大きくなるまで、支持領域５１６０に注入されてもよい。支持領域５１６０は、充填材料で部分的に充填されてもよい。本明細書に記載の装置、方法、及び製造物は、これに限定されない。
【０１３８】
あるいは、１以上の挿入物は、弾性ポリマー材料又はエラストマー材料（例えば、充填材料）から形成されて、ゴルフクラブヘッドの内部の１以上の領域に配置されてもよい。図５４は、弾性ポリマー材料又はエラストマー材料から構成され得る挿入物５３５０を有するゴルフクラブヘッド４９００の例を示している。挿入物５３５０は、支持領域５１６０の形状と同様な形状を有するように製造されてもよい。従って、挿入物５３５０は、概ね平坦になってボトム部４９４０の内側面４９４４に接触するように、支持領域５１６０でのボトム部４９４０の曲率と同様の曲率であってもよい。挿入物５３５０は、支持領域５１６０に挿入されて支持領域５１６０内に概ねフィットするように、支持領域５１６０の形状と同様の形状であってもよい。更に、挿入物５３５０は、内側支持部５１２０、５１２２及び／又は５１２４に取り囲まれ及び／又は接触してもよい。内側支持部５１２０、５１２２及び／又は５１２４は、支持領域５１６０に挿入物を維持することを支援するように、又は支持領域５１６０に挿入物を維持するように、挿入物５３５０の外周の全部又は一部と係合してもよい。挿入物５３５０は、ウェイトポート５４０５、５４１０、５４１５、５４４５、５４５０、５４５５の各々の内側壁部５１２１、５１２３及び／又は側壁部の形状及び／又は輪郭に概ねマッチするように、複数の切欠き部５３５６を有してもよい。従って、挿入物５３５０を指示領域５１６０に配置した場合に、複数のウェイトポートの各ポートの部分は、対応する切欠き部５３５６に受け入れられる。本明細書に記載の装置、方法、及び製造物は、これに限定されない。
【０１３９】
挿入物５３５０は、本明細書に記載の任意の挿入物の厚さと同様の厚さを有してもよい。更に、挿入物５３５０は、本明細書に記載の任意の挿入物と同様の一体的な連続部品として弾性ポリマー材料から製造されてもよい。更に、挿入物５３５０は、本明細書に記載の任意の挿入物の穴部又は開口部などの任意のタイプの穴部又は開口部を有してもよい。例えば、図５４に示すように、挿入物はハニカムパターンの六角形穴部を含んでもよい。挿入物５３５０は、ゴルフボール（不図示）を打つときのゴルフクラブヘッド４９００の振動を減衰し、ノイズを減衰し、重心を下げ、及び／又は良好な感触及び音を提供し得る。本明細書に記載の装置、方法、及び製造物は、これに限定されない。
【０１４０】
充填材料及び／又は挿入物５３５０は、本明細書に記載の任意の材料から製造されてもよい。充填材料又は挿入物５４５０は、ゴルフクラブヘッド４９００のボディ部４９１０と充填材料又は挿入物５３５０との間の接着力の改善及び／又は層間剥離の軽減のために、結合部（不図示）などの本明細書に記載の任意の方法によってボディ部４９１０に結合、連結及び／又は接続されてもよい。更に、充填材料及び挿入物は、本明細書の記載の内側支持部５１０２、５１２２、５１２４によって内側支持領域５１６０に維持されてもよい。本明細書に記載の装置、方法、及び製造物は、これに限定されない。
【０１４１】
図５５〜５９の例では、ゴルフクラブヘッド５５００は、トップ部５５３０と、ボトム部５５４０と、トウ部５５５０と、ヒール部５５６０と、フェース部５５７５を持つフロント部５５７０と、リア部５５８０と、ホーゼル部５５６５とを有するボディ部５５１０を含んでもよい。あるいは、ボディ部５５１０は、ホーゼル部５５６５に代えてボアを含んでもよい。ゴルフクラブヘッド５５００は、本明細書に記載の任意のタイプのゴルフクラブヘッドであってもよい。ボディ部５５１０は、本明細書に記載の任意の材料から作製されてもよい。ゴルフクラブヘッド５５００は、本明細書に記載の任意のゴルフクラブヘッドと同様な複数のウェイト部と、ウェイト部を受けるように構成されたウェイトポートと、外側支持部及び／又は内側支持部と、弾性ポリマー充填材料と、及び／又は弾性ポリマー挿入物とを含んでもよく、含まなくてもよい。本明細書に記載の装置、方法、及び製造物は、これに限定されない。
【０１４２】
トップ部５５３０は、ボディ部５５１０内に延びる１以上の開口部を持つクラウン部５６３０を含んでもよい。図５５〜５８の例では、クラウン部５６３０は、第１の開口部５６３２と、第２の開口部５６３４とを含む。図５９の例では、クラウン部５６３０は、１つの開口部５８３２を含む。しかしながら、クラウン部は、任意の数の開口部を含んでもよい。図５７、５８の例では、クラウン部５６３０の一部は、第１の開口部５６３２と第２の開口部５６３４を分離し得る補強部５６３６を画定する。補強部５６３６は、ボディ部５５１０のセンター部に近接してもよく、フロント部５５７０又はその近傍の位置からリア部５５８０又はその近傍の位置まで延びてもよい。補強部５６３６の幅は、トウ部５５５０とトウ部５５６０の間の距離の約３％から１５％の間であり得る。補強部の厚さは、補強部５６３６の幅の約２％から３０％の間であり得る。補強部５６３６は、ボディ部５５１０と一体であってもよく、ボディ部５５１０と同じ材料から構成されてもよい。補強部５６３６は、ボディ部５５１０とは別体の部品であってもよく、及び／又はボディ部５５２０とは異なる材料で構成されてもよい。補強部５６３６は、クラウン部５６３０に補強又は引き締め効果を提供してもよい。従って、補強部５６３６は、ゴルフクラブヘッド５５００がフェース部５５７５を介してゴルフボールを打つときに、フェース部５５７５及び／又はクラウン部５６３０の屈曲を低減することができる。クラウン部５６３０が２つより多くの開口部を含む場合、複数の補強部を含んでもよい。本明細書に記載の装置、方法、及び製造物は、これに限定されない。
【０１４３】
第１の開口部５６３２は、フロント部５５７０の近傍の位置からリア部５５８０の近傍の位置まで延びてもよい。第１の開口部５６３２はまた、補強部５６３６からトウ部５５５０の近傍の位置まで延びてもよく、トウ部５５５０の近傍でのボディ部５５１０の輪郭に従ってもよい。第２の開口部５６３４は、フロント部５５７０の近傍の位置からリア部５５８０の近傍の位置まで延びてもよい。第２の開口部５６３４はまた、補強部５６３６からヒール部５５６０の近傍の位置まで延びてもよく、ヒール部５５６０の近傍でのボディ部５５１０の輪郭に従ってもよい。図５５〜５７に示す一例では、第１の開口部５６３２と第２の開口部５６３４と補強部５６３６は、クラウン部５６３０の全体的な形状と類似の形状で、かつ、クラウン部５６３０の境界内に位置する形状を、共同で画定してもよい。従って、クラウン部５６３０は、第１の開口部５６３２と第２の開口部５６３４と補強部５６３６を取り囲むクラウン外周部５６３８を含んでもよい。クラウン外周部５６３８の周囲の任意の位置でのクラウン外周部５６３８の幅５６４０は、クラウン部５６３０の厚さ、サイズ、形状、構成材料、及びゴルフボール（不図示）を打つときにボディ部５５１０が受ける衝撃力の少なくとも１つに基づいて設定されてもよい。本明細書に記載の装置、方法、及び製造物は、これに限定されない。
【０１４４】
ゴルフクラブヘッド５５００は、クラウン部５６３０のいずれか１つ又は複数の開口部を覆うように１以上のカバー部を含んでもよい。図５７の例では、ゴルフクラブヘッド５５００は、クラウン部５６３０に取り付けられて第１の開口部５６３２を覆うように構成された第１のカバー部５６５０と、クラウン部５６３０に取り付けられて第２の開口部５６３４を覆うように構成された第２のカバー部５７５０とを含む。第１のカバー部５６５０及び第２のカバー部５７５０はまた、クラウン部５６３０の構造的支持を提供することができる。従って、第１のカバー部５６５０及び第２のカバー部５７５０の厚さ及び構成材料は、ゴルフクラブヘッド５５００がフェース部５５７５を介してゴルフボールを打つときに、クラウン部５６３０の構造的支持を提供することができると共に、衝撃を吸収し、振動を分離し、及び／又はノイズを減衰することができるように設定されてもよい。第１の開口部５６３２は、第１の開口部５６３２を覆うようにクラウン部５６３０に第１のカバー部５６５０が取り付けられた場合に、第１のカバー部５６５０がクラウン部５６３０の外側面と同一平面になるように、クラウン部５６３０の外側面の下側に第１のカバー部５６５０を支持するように構成された１以上のリッジ部、ショルダー部又は突起部（不図示）を含んでもよい。第２の開口部５６３４は、第２の開口部５６３４を覆うようにクラウン部５６３０に第２のカバー部５７５０が取り付けられた場合に、第２のカバー部５７５０がクラウン部５６３０の外側面と同一平面になるように、クラウン部５６３０の外側面の下側に第２のカバー部５７５０を支持するように構成された１以上のリッジ部、ショルダー部又は突起部（不図示）を含んでもよい。本明細書に記載の装置、方法、及び製造物は、これに限定されない。
【０１４５】
第１のカバー部５６５０及び／又は第２のカバー部５７５０は、部分的に又は完全に、アルミニウム系材料、マグネシウム系材料、鋼系材料、チタン系材料、ポリマー材料・セラミック材料・複合材料などの非金属材料、それらの任意の組み合わせ、又は他の適切な材料で作成されてもよい。図５５〜５７の例では、第１のカバー部５６５０は、上部レイヤー５６５２と、下部レイヤー５６５４と、中間レイヤー５６５６とを含む。第２のカバー部５７５０は、上部レイヤー５７５２と、下部レイヤー５７５４と、中間レイヤー５７５６とを含む。上部レイヤー５６５２、上部レイヤー５７５２、下部レイヤー５６５４及び／又は下部レイヤー５７５４は、複合材料から構成されてもよい。一例では、上部レイヤー５６５２、上部レイヤー５７５２、下部レイヤー５６５４及び／又は下部レイヤー５７５４は、グラファイトエポキシ複合材料又は他の適切な繊維複合材料から構成されてもよい。上部レイヤー５６５２、上部レイヤー５７５２、下部レイヤー５６５４及び／又は下部レイヤー５７５４の厚さは、ゴルフクラブヘッド５５００の特性及び特定の重量分布に依存してもよい。上部レイヤー５６５２、上部レイヤー５７５２、下部レイヤー５６５４及び／又は下部レイヤー５７５４は、ゴルフクラブヘッド５５００がフェース部５５７５を介してゴルフボールを打つときに、クラウン部５６３０に構造的支持を提供することができる。中間レイヤー５６５６及び／又は中間レイヤー５７５６は、ゴルフクラブヘッド５５００がフェース部５５７５を介してゴルフボールを打つときに、衝撃を吸収し、振動を分離し、及び／又はノイズを減衰する厚さを持つ任意のポリマー材料及び／又はエラストマー材料から構成されてもよい。従って、中間レイヤー５６５６及び／又は中間レイヤー５７５６は、上部レイヤー５６５２、上部レイヤー５７５２、下部レイヤー５６５４及び／又は下部レイヤー５７５４の材料よりも剛性が低い又は弾性が高い材料から構成されてもよい。例えば、中間レイヤー５６５６及び／又は中間レイヤー５７５６は、本明細書に記載の任意のポリマー、エラストマー及び／又は弾性ポリマー材料と同様の材料から構成されてもよい。上部レイヤー５６５２、下部レイヤー５６５４及び中間レイヤー５６５６は、エポキシ樹脂などの接着剤によって相互に貼り付け又は結合されてもよい。上部レイヤー５７５２、下部レイヤー５７５４及び中間レイヤー５７５６は、エポキシ樹脂などの接着剤によって相互に貼り付け又は結合されてもよい。第１のカバー部５６５０は、任意の方法又は材料によって第１の開口部５６３２をカバーするようにクラウン部５６３０に取り付けられてもよい。例えば、第１のカバー部５６５０は、エポキシ樹脂などの本明細書に記載の１以上の接着剤でクラウン部５６３０に取り付けられてもよい。第２のカバー部５７５０は、任意の方法又は材料によって第２の開口部５６３４をカバーするようにクラウン部５６３０に取り付けられてもよい。例えば、第２のカバー部５７５０は、エポキシ樹脂などの本明細書に記載の１以上の接着剤でクラウン部５６３０に取り付けられてもよい。本明細書に記載の任意のカバー部は、本明細書に記載の１以上のカバー部がクラウン部５６３０と連続的な一体部品を画定するように、ボディ部５５１０と共製造されてもよい。本明細書に記載の装置、方法、及び製造物は、これに限定されない。
【０１４６】
第１のカバー部５６６０及び第２のカバー部５７５０は、第１の開口部５６３２及び第２の開口部５６３４の両方を覆うように構成され得る単一のカバー部であってもよい。例えば、図５８に示すように、ゴルフクラブヘッド５５００は、クラウン部５６３０に取り付けられて第１の開口部５６３２及び第２の開口部５６３４の両方を覆うように構成された単一のカバー部５８５０を含んでもよい。従って、カバー部５８５０がクラウン部５６３０に取り付けられた場合に、カバー部５８５０がクラウン部５６３０の外側面と同一平面に留まるように、補強部５６３６は凹んでいてもよい。ゴルフクラブヘッド５５００は、補強部を含まなくてもよい。例えば、図５９に示すように、ゴルフクラブヘッド５５００は、クラウン部５６３０に単一の開口部５８３２を含んでもよい。従って、カバー部５８５０は、クラウン部５６３０に取り付けられて開口部５８３２を覆うように構成されてもよい。開口部５８３２は、開口部５８３２を覆うようにクラウン部５６３０にカバー部５８５０が取り付けられた場合に、カバー部５８５０がクラウン部５６３０の外側面と同一平面になるように、クラウン部５６３０の外側面の下側にカバー部５８５０を支持するように構成された１以上のリッジ部、ショルダー部又は突起部（不図示）を含んでもよい。本明細書に記載の装置、方法、及び製造物は、これに限定されない。
【０１４７】
図５８の例では、カバー部５８５０は、上部レイヤー５８５２と、下部レイヤー５８５４と、中間レイヤー５８５６とを含んでもよい。上部レイヤー５８５２と下部レイヤー５８５４と中間レイヤー５８５６を含むカバー部５８５０は、構成方法及び構成材料を含む多くの点で本明細書に記載のカバー部５６５０（レイヤー５６５２、５６５４、５６５６を含む）及び／又はカバー部５７５０（レイヤー５７５２、５７５４、５７５６を含む）と類似してもよい。カバー部５８５０は、本明細書に記載の任意の方法又は材料で、図５８に示すように第１の開口部５６３２及び第２の開口部５６３４を覆うように、又は図５９に示すように開口部５８３２を覆うようにクラウン部５６３０に取り付けられてもよい。本明細書に記載の装置、方法、及び製造物は、これに限定されない。
【０１４８】
図５７の例の第１のカバー部５６６０及び第２のカバー部５７５０、及び図５８、５９の例のカバー部５８５０は、クラウン部４４３０の構造強度を維持又は増加させながら、クラウン部５６３０の重量の低減に寄与することができる。従って、ゴルフクラブヘッド５５００は、ボディ部５５１０と同じ材料から構成され且つボディ部５５１０と一体部品であり得るクラウン部を持つゴルフクラブヘッドよりも低い重心を有することができる。低い重心は、ボールの弾道をより高くする。更に、カバー部５６５０、５７５０、５８５０の中間レイヤー５６５６、５７５６、５８５６は、それぞれ、ゴルフクラブヘッド５５００がフェース部５５７５を介してゴルフボールを打つときに、衝撃を吸収及び分散し、振動を分離し、及び／又はノイズを減衰することができる。本明細書に記載の装置、方法、及び製造物は、これに限定されない。
【０１４９】
クラウン部５６３０は、本明細書に記載の１以上のカバー部を受けるように構成され得る１以上の開口部に代えて、１以上の凹部（不図示）を含んでもよい。従って、１以上の凹部は、ボディ部５５１０の内部に通じていなくてもよい。１以上の凹部（不図示）の深さは、１以上のカバー部がクラウン部５６３０の上面と同一平面に留まるように、１以上の凹部を覆うように構成された１以上のカバー部のそれぞれの厚さと同様、又は実質的に同様であってもよい。本明細書に記載の装置、方法、及び製造物は、これに限定されない。
【０１５０】
図６０、６１を参照すると、例えば、ゴルフクラブヘッド５５００は、ホーゼル６００２、ホーゼルスリーブ６００４、締結具６００８を有するホーゼル組立体６０００を含んでもよい。一例では、ホーゼル６００２は、トップ部５５３０から外方に延びてもよく、ボディ部５５１０内に延びなくてもよい。ホーゼル６００２は、図６０に示すようにホーゼルスリーブ６００４の一部がボディ部５５１０の内部に位置するように、ホーゼルスリーブ６００４を受け入れるように構成されてもよい。ホーゼルスリーブ６００４は、外側壁部６００５及びフェルール部６００６を含んでもよい。ボディ部５５１０の内部にあるホーゼルスリーブ６００４の部分の外側壁部６００５は、ボディ部５５１０の内部空間又は中空空間に露出されてもよい。言い換えれば、図６１に示すように、ホーゼル６００２はボディ部５５１０の中に設けられず、ボディ部５５１０はホーゼルスリーブ６００４を取り囲む又はカバーする任意の構造を含まない。本明細書に記載の装置、方法、及び製造物は、これに限定されない。
【０１５１】
ホーゼルスリーブ６００４は、１以上の締結具、１以上の接着剤、溶接、１以上の機械的ロック機構、及び／又はそれらの組み合わせによって、ホーゼル６００２及び／又はボディ部５５１０に連結されてもよい。図６０に示す一例では、ホーゼルスリーブ６００４は、ボルトのようなネジ山付き締結具であり得る締結具６００８によって、ボディ部に固定されてもよい。ホーゼルスリーブ６００４は、シャフト（不図示）を受け入れるように構成された第１の端部と、ネジ山付きボア６０１４を有する第２の端部６０１２とを含んでもよい。ボトム部５５４０は、締結具６００８を受け入れるように構成された開口部６０１６を含んでもよい。開口部６０１６は、図６０に示すようにホーゼル６００２を通じて中空ボディ部５５１０にホーゼルスリーブ６００４が挿入されたときに、ホーゼルスリーブ６００４の第２の端部６０１２がネジ山付きボア６０１４と概ね軸方向に揃えられてもよい。締結具６００８は、ホーゼルスリーブ６００４をホーゼル６００２及び／又はボディ部５５１０に固定するように、開口部６０１６に挿入されてホーゼルスリーブ６００４のネジ山付きボア６０１４に螺入されてもよい。シャフト（不図示）は、その後、ホーゼルスリーブ６００４に挿入して固定されてもよい。本明細書に記載の装置、方法、及び製造物は、これに限定されない。
【０１５２】
「and（及び）」と「or（又は）」の用語は、論理積及び論理和の意味の両方を有し得る。「a」と「an」の用語は、本開示で別段示さない限り、１又は複数のものとして定義される。「coupled（結合）」及びその任意の変形は、２以上の要素を化学的、機械的、及び／又は他の方法で直接又は間接に接続することを指す。「removably connected（取り外し可能に接続された）」という語句は、取り外し可能に接続された２つの要素が、いずれかの要素の有用性を破壊又は損なうことなしに互いに分離できるように定義される。
【０１５３】
「substantially（実質的に，略、など）」の用語は、要素の特徴、パラメータ、特性、又は値の説明に使用される場合、要素が提供しようとする特徴、パラメータ、特性、又は値を損なわない偏差又は変動を表し得る。要素の特徴、パラメータ、特性、又は値の偏差又は変動は、例えば、許容誤差、測定誤差、測定精度限界及び他の要因に基づき得る。「proximate（近接する）」の用語は、「adjacent（隣接する）」、「close（近い）」、「immediate（接近した）」、「nearby（近隣の）」等の用語と同義であり、このような用語は、本開示に現れるように交換可能に使用され得る。
【０１５４】
本明細書に記載の装置、方法、及び製造物は、種々の実施形態で実現することができ、これらの実施形態の幾つかの上記説明は、必ずしも全ての可能な実施形態の完全な説明を表すものではない。代わりに、図面の説明、及び図面自体は、少なくとも１つの実施形態を開示し、及び代替の実施形態を開示してもよい。
【０１５５】
ゴルフのルールが時々変更され得る（例えば、ＵＳＧＡ、Ｒ＆Ａなどのゴルフ標準団体及び／又は運営組織によって、新しい規則が採択され得る又は古い規則が撤廃又は変更され得る）ので、本明細書に記載の装置、方法、及び製造物に関連するゴルフ用品は、任意の特定の時点のゴルフのルールに準拠してもよく、準拠しなくてもよい。従って、本明細書に記載の装置、方法、及び製造物に関連するゴルフ用品は、準拠又は非準拠のゴルフ用品として宣伝され、売り出され、及び／又は販売されてもよい。更に、上記の例はゴルフクラブヘッドについて説明され得るが、本明細書に記載の装置、方法、及び製造物は、釣り竿、ホッケーのスティック、スキーのポール、テニスのラケット、等の他の適切なタイプのスポーツ用品に適用することができる。本明細書に記載の装置、方法、及び製造物は、これに限定されない。
【０１５６】
本開示の対象範囲は、本明細書に記載の装置、方法、及び製造物の例に限定されない。それどころか、本開示は、文言通り又は均等論の下で、添付の特許請求の範囲内に適正に収まる全ての装置、方法、及び製造物をカバーする。
【図１】
0006703197.tif 000002
【図２】
0006703197.tif 000003
【図３】
0006703197.tif 000004
【図４】
0006703197.tif 000005
【図５】
0006703197.tif 000006
【図６】
0006703197.tif 000007
【図７】
0006703197.tif 000008
【図８】
0006703197.tif 000009
【図９】
0006703197.tif 000010
【図１０】
0006703197.tif 000011
【図１１】
0006703197.tif 000012
【図１２】
0006703197.tif 000013
【図１３】
0006703197.tif 000014
【図１４】
0006703197.tif 000015
【図１５】
0006703197.tif 000016
【図１６】
0006703197.tif 000017
【図１７】
0006703197.tif 000018
【図１８】
0006703197.tif 000019
【図１９】
0006703197.tif 000020
【図２０】
0006703197.tif 000021
【図２１】
0006703197.tif 000022
【図２２】
0006703197.tif 000023
【図２３】
0006703197.tif 000024
【図２４】
0006703197.tif 000025
【図２５】
0006703197.tif 000026
【図２６】
0006703197.tif 000027
【図２７】
0006703197.tif 000028
【図２８】
0006703197.tif 000029
【図２９】
0006703197.tif 000030
【図３０】
0006703197.tif 000031
【図３１】
0006703197.tif 000032
【図３２】
0006703197.tif 000033
【図３３】
0006703197.tif 000034
【図３４】
0006703197.tif 000035
【図３５】
0006703197.tif 000036
【図３６】
0006703197.tif 000037
【図３７】
0006703197.tif 000038
【図３８】
0006703197.tif 000039
【図３９】
0006703197.tif 000040
【図４０】
0006703197.tif 000041
【図４１】
0006703197.tif 000042
【図４２】
0006703197.tif 000043
【図４３】
0006703197.tif 000044
【図４４】
0006703197.tif 000045
【図４５】
0006703197.tif 000046
【図４６】
0006703197.tif 000047
【図４７】
0006703197.tif 000048
【図４８】
0006703197.tif 000049
【図４９】
0006703197.tif 000050
【図５０】
0006703197.tif 000051
【図５１】
0006703197.tif 000052
【図５２】
0006703197.tif 000053
【図５３】
0006703197.tif 000054
【図５４】
0006703197.tif 000055
【図５５】
0006703197.tif 000056
【図５６】
0006703197.tif 000057
【図５７】
0006703197.tif 000058
【図５８】
0006703197.tif 000059
【図５９】
0006703197.tif 000060
【図６０】
0006703197.tif 000061
【図６１】
0006703197.tif 000062